(57)【特許請求の範囲】
【請求項１】
基地局と無線通信することによって前記基地局の属する基地局セグメントに接続し、接続先の前記基地局セグメントを変えても変化しない仮想端末アドレスを自己のアドレスの１つとする移動端末と、サーバと、の間で複数のセグメントから成る広域ネットワークを介して行われるデータ通信において、前記サーバが属するセグメントであるサーバ側セグメントと前記広域ネットワークとの間で前記データ通信を中継するデータ中継装置であって、
前記データ通信のために前記移動端末から送出され、前記基地局セグメントと前記広域ネットワークとの間にある基地局データ中継装置によって中継され、前記仮想端末アドレスと、返送先を指定する返送先アドレスとを有した送信データを受け取ると、前記サーバがそれを受け取って前記仮想端末アドレス宛に返信データを送出するように前記送信データの情報を書き換えて送出し、
前記返信データを受け取ると、最終的に前記移動端末に届くように前記返信データの情報を書き換えて前記返送先アドレス宛に送出するサーバ側データ中継装置であり、
前記仮想端末アドレスと前記返送先アドレスとの対応を保存するためのサーバ側仮想アドレス対応表を有し、
前記返信データの情報の書き換えを行うために、前記基地局データ中継装置によって中継された前記送信データの有する前記仮想端末アドレスと前記返送先アドレスとを対応させ前記サーバ側仮想アドレス対応表に記録することを特徴とするサーバ側データ中継装置。
【請求項２】
前記基地局データ中継装置によって中継され、送信元の情報を格納する送信元アドレス部と、仮想アドレス部とを有し、前記送信元アドレス部には前記返送先アドレスが格納されていて、前記仮想アドレス部には前記仮想端末アドレスが格納されている前記サーバ宛の前記送信データを受け取ると、この送信データの前記送信元アドレス部に前記仮想端末アドレスを格納して前記サーバへ送出し、
前記送信データを受け取った前記サーバから送出され、宛先の情報を格納する宛先アドレス部と、仮想アドレス部とを有する前記仮想端末アドレス宛の前記返信データを受け取ると、この返信データの前記仮想アドレス部に前記仮想端末アドレスを格納し、前記宛先アドレス部に前記返送先アドレスを格納して送出することを特徴とする請求項１に記載のサーバ側データ中継装置。
【請求項３】
基地局と無線通信することによって前記基地局の属する基地局セグメントに接続し、接続先の前記基地局セグメントを変えても変化しない仮想端末アドレスを自己のアドレスの１つとする移動端末と、サーバと、の間で複数のセグメントから成る広域ネットワークを介して行われるデータ通信において、前記基地局セグメントと、前記広域ネットワークと、の間で前記データ通信を中継するデータ中継装置であって、
前記データ通信のために前記移動端末が送出した送信データを受け取ると、この送信データが前記仮想端末アドレスと返送先を指定する返送先アドレスとを有するように書き換えて前記サーバ宛に送出し、
この送信データは、請求項１または２に記載のサーバ側データ中継装置によって中継されて前記サーバに届き、それに基づきこのサーバが前記仮想端末アドレス宛に送出して前記サーバ側データ中継装置が中継した返信データが最終的に前記移動端末に届くようになっている基地局データ中継装置であり、
前記返信データが最終的に前記移動端末に届くようにするために、同一の前記基地局と無線通信しているあいだ使用可能なアドレスである一時端末アドレスを自己のアドレスの１つとする前記移動端末の前記仮想端末アドレスと前記一時端末アドレスとの対応を保存するための基地局仮想アドレス対応表を有することを特徴とする基地局データ中継装置。
【請求項４】
前記返送先アドレスを自己のアドレスとし、
請求項１または２に記載のサーバ側データ中継装置によって中継された前記返送データを受け取ると、この返送データを前記移動端末宛に送出する請求項３に記載の基地局データ中継装置。
【請求項５】
前記データ通信において、前記移動端末から送出された送信元の情報を格納する送信元アドレス部と、仮想アドレス部と、を有する送信データを受け取ると、この送信データの前記送信元アドレス部に前記返送先アドレスを格納し、前記仮想アドレス部に前記仮想端末アドレスを格納して前記サーバ宛に送出する請求項３または４に記載の基地局データ中継装置。
【請求項６】
基地局と無線通信することによって前記基地局の属する基地局セグメントに接続し、前記広域ネットワークを介してサーバとデータ通信を行い、
同一の前記基地局と無線通信しているあいだ使用可能である一時端末アドレスと、接続先の前記基地局セグメントを変えても変化しない仮想端末アドレスとを自己のアドレスとし、
前記データ通信のための送信データを、前記仮想端末アドレスを有するように作成して送出し、
請求項３ないし５のいずれか１つに記載の基地局データ中継装置と、請求項１または２に記載のサーバ側データ中継装置と、によって中継されて前記サーバに届いた前記送信データに基づいて前記サーバが前記仮想端末宛に送出し、前記サーバ側データ中継装置と前記基地局データ中継装置とが中継した前記返信データを受け取る移動端末。
【請求項７】
同時に複数の基地局と無線通信によって接続するための複数の無線インターフェースを有し、それぞれの無線インターフェースが異なる前記一時端末アドレス使用することを特徴とする請求項６に記載の移動端末。
【請求項８】
前記データ通信のために作成する、送信元の情報を格納する送信元アドレス部を有する前記送信データの前記送信元アドレス部に前記仮想端末アドレスを格納して送出する請求項６または７に記載の移動端末。
【請求項９】
サーバと請求項６ないし８のいずれか１つに記載の移動端末とのデータ通信において、前記移動端末の接続先である、基地局の属する基地局セグメントを変えても変化しない仮想端末アドレスと、
前記サーバから前記仮想端末アドレスに宛てた通信データを受ける請求項１または２に記載のサーバ側データ中継装置が前記通信データを送出する宛先であるプッシュ先アドレスと、
の対応を保存するためのセンター仮想アドレス対応表を有し、
前記移動端末が前記基地局と新たに無線通信を開始するとき、前記移動端末の前記仮想端末アドレスと前記返送先アドレスとの対応の通知を受け、それに基づいて前記対応を前記センター仮想アドレス対応表に記録し、
必要なときに前記サーバ側データ中継装置にこの対応を通知するアドレス情報センター。
【請求項１０】
基地局と無線通信し、移動に基づいて無線通信する相手の前記基地局を変え、自己内のセグメントである移動セグメントと、前記基地局と無線通信を行い同一の前記基地局と無線通信しているあいだ使用可能である一時中継アドレスを自己のアドレスとする移動無線インターフェースと、この移動無線インターフェースと移動セグメントとの間にある移動データ中継装置と、を有する移動ネットワークに属し、属する前記移動ネットワークを変えても変化しない仮想端末アドレスを自己のアドレスの１つとする移動端末と、サーバと、の間で複数のセグメントから成る広域ネットワークを介して行われるデータ通信において、前記サーバが属するセグメントであるサーバ側セグメントと前記広域ネットワークとの間で前記データ通信を中継するデータ中継装置であって、
前記データ通信のために前記移動端末から送出され前記移動データ中継装置によって中継された送信データは、前記仮想端末アドレスと、前記一時中継アドレスとを有し、
前記送信データを受け取ると、前記サーバがそれを受け取って前記仮想端末アドレス宛に返信データを送出するように前記送信データの情報を書き換えて送出し、
前記返信データを受け取ると、最終的に前記移動端末に届くように前記返信データの情報を書き換えて前記一時中継アドレス宛に送出するサーバ側データ中継装置であり、
前記仮想端末アドレスと前記一時中継アドレスとの対応を保存するためのサーバ側仮想アドレス対応表を有し、
前記返信データの情報の書き換えを行うために、前記移動データ中継装置によって中継された前記送信データの有する前記仮想端末アドレスと前記一時中継アドレスとを対応させ前記サーバ側仮想アドレス対応表に記録することを特徴とするサーバ側データ中継装置。
【請求項１１】
前記移動データ中継装置によって中継され、送信元の情報が格納される送信元アドレス部と、仮想アドレス部と、を有する前記送信データの前記送信元アドレス部には前記一時中継アドレスが格納されていて、前記仮想アドレス部には前記仮想端末アドレスが格納されている前記送信データを受け取ると、この送信データの前記送信元アドレス部に前記仮想アドレスを格納して前記サーバへ送出し、
前記送信データを受け取った前記サーバからの、宛先の情報を格納する宛先アドレス部と、仮想アドレス部とを有する前記仮想端末アドレス宛の前記返信データを受け取ると、この返信データの前記仮想アドレス部に前記仮想端末アドレスを格納し、前記宛先アドレス部に前記一時中継アドレスを格納して送出することを特徴とする請求項１０に記載のサーバ側データ中継装置。
【請求項１２】
基地局と無線通信し、移動に基づいて無線通信する相手の前記基地局を変え、自己内のセグメントである移動セグメントと、前記基地局と無線通信を行い同一の前記基地局と無線通信しているあいだ使用可能である一時中継アドレスを自己のアドレスとする移動無線インターフェースと、を有する移動ネットワークに属し、属する前記移動ネットワークを変えても変化しない仮想端末アドレスを自己のアドレスの１つとする移動端末と、サーバと、の間で複数のセグメントから成る広域ネットワークを介して行われるデータ通信において、
前記移動セグメントと前記移動無線インターフェースとの間で前記データ通信を中継するデータ中継装置であって、
前記データ通信のために前記移動端末が送出した送信データを受け取ると、この送信データが前記仮想端末アドレスと前記一時中継アドレスとを有するように書き換えて前記サーバ宛に送出し、
この送信データは、請求項１０または１１に記載のサーバ側データ中継装置によって中継されて前記サーバに届き、それに基づきこのサーバが前記仮想端末アドレス宛に送出して前記サーバ側データ中継装置が中継した返信データが最終的に前記移動端末に届くようになっている移動データ中継装置であり、
前記返信データが最終的に前記移動端末に届くようにするために、同一の前記移動ネットワークに属しているあいだ使用可能なアドレスである一時端末アドレスを自己のアドレスの１つとする前記移動端末の前記仮想端末アドレスと前記一時端末アドレスとの対応を保存するための移動仮想アドレス対応表を有することを特徴とする移動データ中継装置。
【請求項１３】
前記データ通信において前記移動端末から送出された、送信元の情報を格納する送信元アドレス部と、仮想アドレス部と、を有する送信データを受け取ると、この送信データの前記送信元アドレス部に前記一時中継アドレスを格納し、前記仮想アドレス部に前記仮想端末アドレスを格納して前記サーバ宛に送出する請求項１２に記載の移動データ中継装置。
【請求項１４】
基地局と無線通信し、移動に基づいて無線通信する相手の前記基地局を変え、自己内のセグメントである移動セグメントと、前記基地局を相手に無線通信を行う部分であり、同一の前記基地局を相手に無線通信しているあいだ使用可能である一時中継アドレスを自己のアドレスとする移動無線インターフェースと、請求項１２または１３に記載の移動データ中継装置と、を有する移動ネットワークに属するときに、前記広域ネットワークを介して前記サーバと前記データ通信を行い、
同一の前記移動ネットワークに属しているあいだ使用可能である一時端末アドレスと、属する前記移動ネットワークを変えても変化しない仮想端末アドレスとを自己のアドレスとし、
前記データ通信のための前記送信データが前記仮想端末アドレスを有するように作成して送出し、
請求項１２または１３に記載の移動データ中継装置と請求項１０または１１に記載のサーバ側データ中継装置とによって中継されて前記サーバに届いた送信データに基づいて前記サーバが送出し、前記サーバ側データ中継装置と前記移動データ中継装置とが中継した前記返信データを受け取る移動端末。
【請求項１５】
同時に複数の基地局と無線通信によって接続するための複数の無線インターフェースを有し、それぞれの無線インターフェースが異なる前記一時端末アドレス使用することを特徴とする請求項１４に記載の移動端末。
【請求項１６】
前記データ通信のために作成する、送信元の情報を格納する送信元アドレス部を有する前記送信データの前記送信元アドレス部に前記仮想端末アドレスを格納して送出する請求項１４または１５に記載の移動端末。
【請求項１７】
サーバと請求項１４ないし１６のいずれか１つに記載の移動端末とのデータ通信において、前記移動端末の接続先である、基地局の属する基地局セグメントを変えても変化しない仮想端末アドレスと、
前記サーバから前記仮想端末アドレスに宛てた通信データを受ける請求項１０または１１に記載のサーバ側データ中継装置が前記通信データを送出する宛先であるプッシュ先アドレスと、
の対応を保存するためのセンター仮想アドレス対応表を有し、
前記移動端末が属し、基地局と無線通信し、移動に基づいて無線通信する相手の前記基地局を変え、自己内のセグメントである移動セグメントを有する移動ネットワークが前記基地局と新たに無線通信を開始するとき、前記移動端末の前記仮想端末アドレスと前記返送先アドレスとの対応の通知を受け、それに基づいて前記対応を前記センター仮想アドレス対応表に記録し、
必要なときに前記サーバ側データ中継装置にこの対応を通知するアドレス情報センター。
【請求項１８】
基地局と無線通信することによって前記基地局の属する基地局セグメントに接続し、接続先の前記基地局セグメントを変えても変化しない仮想端末アドレスを自己のアドレスの１つとし、複数の基地局と接続するために、それぞれ１つの基地局と無線通信しているあいだ使用可能な一時インターフェースアドレスを自己のアドレスとする上下無線インターフェースと下り無線インターフェースとを有する移動端末と、サーバと、の間で複数のセグメントから成る広域ネットワークを介して行われるデータ通信において、前記上下無線インターフェースと前記広域ネットワークとの間でデータ通信を中継するデータ中継装置であって、
前記移動端末から前記サーバへのデータ通信の経路である上り回線と、前記サーバから前記移動端末へのデータ通信の経路である下り回線とを異なるものとする前記データ通信のために前記移動端末が送出した送信データを受け取ると、この送信データが前記仮想端末アドレスと、前記送信データに対する返送先を指定する返送先アドレスと、を有するように書き換えて前記サーバ宛に送出し、
送出された前記送信データは、前記サーバの属するサーバ側セグメントと前記広域ネットワークとの間で前記データ通信を中継するサーバ側データ中継装置によって中継されて前記サーバに届き、前記送信データに基づいて前記サーバが送出した前記仮想アドレス宛の返信データが前記サーバ側データ中継装置と、前記下り無線インターフェースと同一セグメントに属する基地局データ中継装置である下り基地局データ中継装置と、が中継して前記移動端末に届くようになっている上下基地局データ中継装置であり、
前記返信データが前記移動端末に届くようにするために、前記移動端末の前記仮想端末アドレスと前記下り基地局データ中継装置のアドレスとの対応を保存するための基地局仮想アドレス対応表を有することを特徴とする上下基地局データ中継装置。
【請求項１９】
前記返送先アドレスを前記下り基地局データ中継装置のアドレスとすることを特徴とする請求項１８に記載の上下基地局データ中継装置。
【請求項２０】
前記データ通信において前記移動端末から送出された、送信元の情報を格納する送信元アドレス部と、仮想アドレス部とを有する前記送信データを受け取ると、この送信データの前記送信元アドレス部に前記返送先アドレスを格納し、前記仮想アドレス部に前記仮想端末アドレスを格納して前記サーバ宛に送出することを特徴とする請求項１８または１９に記載の上下基地局データ中継装置。
【請求項２１】
基地局と無線通信することによって前記基地局の属する基地局セグメントに接続し、接続先の前記基地局セグメントを変えても変化しない仮想端末アドレスを自己のアドレスの１つとする移動端末と、サーバと、の間で複数のセグメントから成る広域ネットワークを介して行われるデータ通信において、前記サーバの属するセグメントであるサーバ側セグメントと前記広域ネットワークとの間で前記データ通信を中継するデータ中継装置であって、
前記移動端末から前記サーバへのデータ通信の経路である上り回線と、前記サーバから前記移動端末へのデータ通信の経路である下り回線とを異なるものとする前記データ通信のために前記移動端末から送出され請求項１８ないし２０のいずれか１つに記載の上下基地局データ中継装置によって中継された前記送信データを受け取ると、前記サーバがそれを受け取って前記仮想端末アドレス宛に返信データを送出するように前記送信データの情報を書き換えて送出し、
前記返信データを受け取ると、前記返信データが前記下り基地局データ中継装置によって中継されて前記移動端末に届くように前記返信データの情報を書き換えて送出するサーバ側データ中継装置であり、
前記仮想端末アドレスと前記返送先アドレスとの対応を保存するためのサーバ側仮想アドレス対応表を有し、
前記返信データの情報の書き換えを行うために、前記上下基地局データ中継装置によって中継された前記送信データの有する前記仮想端末アドレスと前記返送先アドレスとを対応させ前記サーバ側仮想アドレス対応表に記録することを特徴とするサーバ側データ中継装置。
【請求項２２】
前記基地局と前記無線通信によって接続し、前記広域ネットワークを介して前記サーバと前記データ通信を行い、
接続先の前記基地局が変わっても変化しない仮想アドレスを自己のアドレスとし、複数の基地局と接続するための上下無線インターフェースと下り無線インターフェースとを有し、これら上下無線インターフェースと下り無線インターフェースはそれぞれ１つの基地局と無線通信しているあいだ使用可能な一時インターフェースアドレスを自己のアドレスとし、
前記移動端末から前記サーバへのデータ通信の経路である上り回線と、前記サーバから前記移動端末へのデータ通信の経路である下り回線とを異なるものとする前記データ通信のための前記送信データが前記仮想端末アドレスを有するように作成し、前記上下インターフェースより送出し、
送出した前記送信データは請求項１８ないし２０のいずれか１つに記載の上下基地局データ中継装置と請求項２１に記載のサーバ側データ中継装置とによって中継されて前記サーバに届き、
前記送信データに基づいて前記サーバが送出し、前記サーバ側データ中継装置と前記基地局データ中継装置とが中継した前記返信データを前記下り無線インターフェースより受け取る移動端末。
【請求項２３】
前記データ通信のために作成し送出した、送信元の情報を有する送信元アドレス部を有する前記送信データの前記送信元アドレス部に前記仮想端末アドレスを格納して送出する請求項２２に記載の移動端末。
【発明の詳細な説明】
【０００１】
【発明の属する技術分野】
本発明は、広域ネットワークを介してサーバとデータ通信を行う移動端末、このデータ通信を中継するデータ中継装置、およびデータ通信のためのアドレス情報を管理するアドレス情報センターに関するもので、インターネットにおける移動体とサーバとのデータ通信に用いて好適である。
【０００２】
【従来の技術】
近年、携帯電話等の移動端末を利用してインターネット等の広域ネットワークとデータ通信するという、移動体データ通信が広く利用されるようになっている。これは、移動端末が無線によって基地局と接続し、基地局の属するセグメントを経由して広域ネットワークとデータ通信を行うことにより実現される。
【０００３】
【発明が解決しようとする課題】
この場合、移動端末は広域ネットワークとデータ通信を行うため、基地局の属するセグメントに割り当てられたアドレス空間の中から１つのアドレスを自己のアドレスとして使用する。このアドレス空間はセグメント毎に違ったものが割り当てられているので、移動端末が移動して通信する基地局が変わったとき、新しい基地局が以前の基地局とは別のセグメントに属していれば、それまで使っていたアドレスを自己のものとして使用することができなくなり、新たな基地局のセグメントに割り当てられたアドレス空間の中から１つを使用することになる。
【０００４】
このように移動によって移動端末のアドレスが変化してしまうと、広域ネットワーク上で移動端末と通信を行うサーバは移動端末の同一性を確認することができなくなり、そのままでは通信が途絶してしまう。
【０００５】
この通信の途絶を回避する従来技術としてｍｏｂｉｌｅＩＰがある。これは、移動端末が通常属しているセグメント内におけるホームアドレスを有しており、このセグメントから別のセグメントへ移動端末が移ったときも、データ通信における移動端末への下りデータはホームアドレス宛に送られ、これをホームエージェントと呼ばれるホストが移動端末に転送することにより通信の途絶を回避するという通信技術である。
【０００６】
しかしこの技術では、移動端末が通常属するネットワークを離れた場合に、下りデータの配送経路が遠回りなものとなってしまい、通信の効率が良くない。
【０００７】
また、もう１つの従来技術として、インターネットにおいて利用することを想定したＶＩＰ（Ｖｉｒｔｕａｌ  Ｉｎｔｅｒｎｅｔ  Ｐｒｏｔｏｃｏｌ）という通信プロトコルがある。ＶＩＰでは、接続する基地局の属するセグメントに依存したＩＰアドレスとは別に、セグメントを移動しても変わらないＶＩＰアドレスを移動端末の識別子として割り当てる。ＶＩＰにおける通信データの基本単位であるＶＩＰパケットは、通常の通信データの基本単位であるＩＰパケットが有するＩＰヘッダ部の他にＶＩＰヘッダ部を有し、この部分には上記したＶＩＰアドレスが格納される。移動端末が無線接続の相手をある基地局から別の基地局に移せばそのＩＰアドレスは変化するが、ＶＩＰアドレスは変化しない。従ってＶＩＰアドレスとＩＰアドレスとの対応づけ、すなわちＶＩＰアドレス→ＩＰアドレス解決を常に行うことができるものがあれば、移動端末とインターネット上のサーバとの間の通信においてサーバはＶＩＰアドレスを参照することによって移動端末の同一性を失うことがなくなり、通信の途絶を防止できる。
【０００８】
このアドレス解決を行う役割を果たすのがインターネット内の各セグメント間の中継点に位置するＶＩＰ対応のルータである。ＶＩＰに対応したルータは、移動端末が送信したＶＩＰパケットを中継あるいは受信すると、そのＶＩＰパケットに含まれるＩＰアドレスとＶＩＰアドレスの関係を保存する。以後はそのＶＩＰアドレス宛のパケットがこのルータを通ると、ルータはＶＩＰアドレスに対応するＩＰアドレス宛にこのパケットを配送し、これによって正しい移動端末にパケットが送られることになる。
【０００９】
このＶＩＰによるパケットの配送技術ではネットワーク上のルータのいずれかがＶＩＰに対応する必要があるが、どのルータをＶＩＰに対応させるかについての規定はなく、対応させるルータの配置によっては非常に遠回りな通信経路となってしまい、効率の悪い通信となってしまうという、ｍｏｂｉｌｅＩＰと同様の問題がある。
【００１０】
本発明はこの問題に鑑みて、効率よい経路で確実に通信を行うことができるような移動端末によるデータ通信を実現することを第１の目的とする。
【００１１】
また、バスや列車等に設置された移動ネットワークに移動端末が属している場合は、このバスや列車等が移動することにより移動ネットワークのルータの接続先である基地局が変化するにもかかわらず、端末のＶＩＰアドレスとＩＰアドレスの双方には変化が無いので、ｍｏｂｉｌｅＩＰのホームエージェントやＶＩＰの対応ルータは端末の移動に対応することができなくなり、通信が途絶してしまうという問題もある。
【００１２】
本発明はこの問題に鑑みて、移動端末が移動ネットワークに属していても確実に通信を行うことができるようなデータ通信を実現することを第２の目的とする。
【００１３】
【課題を解決するための手段】
上記目的を達成するため、請求項１に記載のサーバ側データ中継装置は、基地局と無線通信することによって基地局の属する基地局セグメントに接続し、接続先の基地局セグメントを変えても変化しない仮想端末アドレスを自己のアドレスの１つとする移動端末と、サーバと、の間で複数のセグメントから成る広域ネットワークを介して行われるデータ通信において、サーバが属するセグメントであるサーバ側セグメントと広域ネットワークとの間でデータ通信を中継するデータ中継装置であって、データ通信のために移動端末から送出され、基地局セグメントと広域ネットワークとの間にある基地局データ中継装置によって中継され、仮想端末アドレスと、返送先を指定する返送先アドレスとを有した送信データを受け取ると、サーバがそれを受け取って仮想端末アドレス宛に返信データを送出するように送信データの情報を書き換えて送出し、返信データを受け取ると、最終的に移動端末に届くように返信データの情報を書き換えて返送先アドレス宛に送出することを特徴としている。
【００１４】
これにより、移動端末から送出され基地局データ中継装置によって中継された送信データをサーバ側データ中継装置が書き換えて、サーバは常に仮想端末アドレスを移動端末のアドレスとして返信データを送出し、それをサーバ側データ中継装置が更に書き換えて、最終的に移動端末に届くようになっているので、移動端末が接続先の基地局を変えても、サーバは不変の仮想端末アドレスを使って通信を行っているので通信が途絶えることがないので確実にデータ通信を行うことができる。
【００１５】
また、このように送信データ、返信データの書き換えを行うサーバ側データ中継装置がサーバ側セグメントと広域ネットワークの間にあり、基地局データ中継装置が基地局セグメントと広域ネットワークの間にあることにより、移動端末とサーバが効率のよい経路でデータ通信を行うことができる。
【００１６】
また、仮想端末アドレスと返送先アドレスとの対応を保存するために、請求項１に記載の発明では、請求項１に記載のサーバ側データ中継装置において、仮想端末アドレスと返送先アドレスとの対応を保存するためのサーバ側仮想アドレス対応表を有し、基地局データ中継装置によって中継された送信データの有する仮想端末アドレスと返送先アドレスとを対応させサーバ側仮想アドレス対応表に記録することを特徴としている。
【００１７】
このようにすることで、移動端末から送信データが送られてきた時に仮想端末アドレスと返送先アドレスとの対応を保存するようになっていれば、返信データを中継するときにこの対応表から返送先アドレスを知ることができる。このようにしておけば、サーバ側データ中継装置が対応の保存のために移動端末や基地局データ中継装置と特別なデータ通信を別に行う必要が無くなる。
【００１８】
また、送信データと返信データの書き換え方の一例として、請求項２に記載の発明では、請求項１に記載のサーバ側データ中継装置において、基地局データ中継装置によって中継され、送信元の情報を格納する送信元アドレス部と、仮想アドレス部とを有し、送信元アドレス部には返送先アドレスが格納されていて、仮想アドレス部には仮想端末アドレスが格納されているサーバ宛の送信データを受け取ると、この送信データの送信元アドレス部に仮想端末アドレスを格納してサーバへ送出し、送信データを受け取ったサーバから送出され、宛先の情報を格納する宛先アドレス部と、仮想アドレス部とを有する仮想端末アドレス宛の返信データを受け取ると、この返信データの仮想アドレス部に仮想端末アドレスを格納し、宛先アドレス部に返送先アドレスを格納して送出することを特徴している。
【００１９】
また、このサーバ側データ中継装置と連携してデータ中継を行う基地局データ中継装置として、請求項３に記載の発明では、基地局と無線通信することによって基地局の属する基地局セグメントに接続し、接続先の基地局セグメントを変えても変化しない仮想端末アドレスを自己のアドレスの１つとする移動端末と、サーバと、の間で複数のセグメントから成る広域ネットワークを介して行われるデータ通信において、基地局セグメントと、広域ネットワークと、の間でデータ通信を中継するデータ中継装置であって、データ通信のために移動端末が送出した送信データを受け取ると、この送信データが仮想端末アドレスと返送先を指定する返送先アドレスとを有するように書き換えてサーバ宛に送出し、この送信データは、請求項１または２に記載のサーバ側データ中継装置によって中継されてサーバに届き、それに基づきこのサーバが仮想端末アドレス宛に送出してサーバ側データ中継装置が中継した返信データが最終的に移動端末に届くようになっていることを特徴としている。
【００２０】
この基地局データ中継装置が送信データの書き換えを行う際の返送先アドレスの具体例として、請求項４に記載の発明においては、請求項３に記載の基地局データ中継装置において、返送先アドレスを自己のアドレスとし、請求項１または２に記載のサーバ側データ中継装置によって中継された返送データを受け取ると、この返送データを移動端末宛に送出することを特徴としている。返送先アドレスを自己のアドレスとし、請求項１または２に記載のサーバ側データ中継装置によって中継された返送データを受け取ると、この返送データを移動端末宛に送出する。
【００２１】
これによって、サーバから仮想端末アドレス宛に送出され、サーバ側データ中継装置によって中継された返信データは、確実に基地局データ中継装置に届き、基地局データ中継装置はこの返信データを移動端末に送ることができる。
【００２２】
なお、この基地局データ中継装置が移動端末の仮想端末アドレスと一時端末アドレスとの対応を保存するために、請求項３に記載の発明では、同一の基地局と無線通信している間使用可能なアドレスである一時端末アドレスを自己のアドレスの１つとする移動端末の仮想端末アドレスと一時端末アドレスとの対応を保存するための基地局仮想アドレス対応表を有していることを特徴としている。
【００２３】
このような対応表は、この基地局データ中継装置が返信データを中継するときに、この返信データを受け取るべき仮想端末アドレスから配送する一時端末アドレスを知るための手法の１つである。
【００２４】
また、送信データと返信データの書き換えの一例として、請求項５に記載の発明では、請求項３または４に記載の基地局データ中継装置において、データ通信において、移動端末から送出された送信元の情報を格納する送信元アドレス部と、仮想アドレス部と、を有する送信データを受け取ると、この送信データの送信元アドレス部に返送先アドレスを格納し、仮想アドレス部に仮想端末アドレスを格納してサーバ宛に送出することを特徴としている。
【００２５】
また上記したサーバ側データ中継装置と基地局データ中継装置の中継によってサーバと通信を行う移動端末として、請求項６に記載の移動端末は、基地局と無線通信することによって基地局の属する基地局セグメントに接続し、広域ネットワークを介してサーバとデータ通信を行い、同一の基地局と無線通信しているあいだ使用可能である一時端末アドレスと、接続先の基地局セグメントを変えても変化しない仮想端末アドレスとを自己のアドレスとし、データ通信のための送信データを、仮想端末アドレスを有するように作成して送出し、請求項３ないし５のいずれか１つに記載の基地局データ中継装置と、請求項１または２に記載のサーバ側データ中継装置と、によって中継されてサーバに届いた送信データに基づいてサーバが仮想端末宛に送出し、サーバ側データ中継装置と基地局データ中継装置とが中継した返信データを受け取ることを特徴としている。
【００２６】
このような移動端末では、属する基地局セグメントを変更しても変わることのない仮想端末アドレスを自らのアドレスとし、サーバ宛に送出する送信データがその仮想端末アドレスを有するようにすることで、上記した基地局データ中継装置とサーバ側データ中継装置とによって中継されてサーバと途絶えることのない通信を行うことが可能となる。
【００２７】
また、請求項７に記載の発明では、請求項６に記載移動端末において、同時に複数の基地局と無線通信によって接続するための複数の無線インターフェースを有し、それぞれの無線インターフェースが異なる一時端末アドレス使用することを特徴としているように、この移動端末は同時に複数の基地局と無線通信ができるようになっていてもよい。
【００２８】
この場合、移動端末が移動して通信先の基地局を変えるときには、実際に変える前にいずれかの無線インターフェースであらかじめ接続準備をしておくことにすれば、通信の途絶を防ぐことができる。
【００２９】
なお、本明細書においてインターフェースと記しているものは、ネットワークインターフェースのことである。
【００３０】
また、移動端末において送信データが仮想端末アドレスを含むようにするための一例として、請求項８に記載の発明では、請求項６または７に記載の移動端末において、データ通信のために作成する、送信元の情報を格納する送信元アドレス部を有する送信データの送信元アドレス部に仮想端末アドレスを格納して送出することを特徴としている。
【００３１】
また、サーバが最初に無線端末へパケットを送る場合、すなわちサーバからプッシュする形でパケットを送信する場合に確実にデータ通信を行うためのものとして、請求項９に記載のアドレス情報センターは、サーバと請求項６ないし８のいずれか１つに記載の移動端末とのデータ通信において、移動端末の接続先である基地局セグメントを変えても変化しない仮想端末アドレスと、サーバから仮想端末アドレスに宛てた通信データを受ける請求項１または２に記載のサーバ側データ中継装置が通信データを送出する宛先であるプッシュ先アドレスと、の対応を保存するためのセンター仮想アドレス対応表を有し、移動端末が基地局と新たに無線通信を開始するとき、移動端末の仮想端末アドレスと返送先アドレスとの対応の通知を受け、それに基づいて対応をセンター仮想アドレス対応表に記録し、必要なときにサーバ側データ中継装置にこの対応を通知することを特徴としている。
【００３２】
このようなアドレス情報センターがあると、例えばサーバからある仮想端末アドレスへのパケットが送出されたとき、この仮想端末アドレスと返送先アドレスとの対応をサーバ側データ中継装置が持っていない場合などにおいて、このアドレス情報センターから通知を受けることによりこの対応を得て、サーバ側から端末への通信を可能とすることができる。
【００３３】
また、移動端末が移動ネットワークに属している場合のデータ通信のためのものとして、請求項１０に記載の発明では、基地局と無線通信し、移動に基づいて無線通信する相手の基地局を変え、自己内のセグメントである移動セグメントと、基地局と無線通信を行い同一の基地局と無線通信しているあいだ使用可能である一時中継アドレスを自己のアドレスとする移動無線インターフェースと、この移動無線インターフェースと移動セグメントとの間にある移動データ中継装置と、を有する移動ネットワークに属し、属する移動ネットワークを変えても変化しない仮想端末アドレスを自己のアドレスの１つとする移動端末と、サーバと、の間で複数のセグメントから成る広域ネットワークを介して行われるデータ通信において、サーバに属するセグメントであるサーバ側セグメントと広域ネットワークとの間でデータ通信を中継するデータ中継装置であって、データ通信のために移動端末から送出され移動データ中継装置によって中継された送信データは、仮想端末アドレスと、一時中継アドレスとを有し、送信データを受け取ると、サーバがそれを受け取って仮想端末アドレス宛に返信データを送出するように送信データの情報を書き換えて送出し、返信データを受け取ると、最終的に移動端末に届くように返信データの情報を書き換えて一時中継アドレス宛に送出することを特徴としている。
【００３４】
これにより、移動端末から送出され移動データ中継装置によって中継された送信データをサーバ側データ中継装置が書き換えて、サーバは常に仮想端末アドレスを移動端末のアドレスとして返信データを送出し、それをサーバ側データ中継装置が更に書き換えて、最終的に移動端末に届くようになっているので、移動端末が接続先の基地局を変えても、サーバは不変の仮想端末アドレスを使って通信を行っているので通信が途絶えることがないので確実にデータ通信を行うことができる。
【００３５】
また、このように送信データ、返信データの書き換えを行うサーバ側データ中継装置がサーバ側セグメントと広域ネットワークの間にあり、移動データ中継装置が移動セグメントと広域ネットワークの間にあることにより、移動端末とサーバが効率のよい経路でデータ通信を行うことができる。
【００３６】
さらに、サーバ側データ中継装置は移動端末の仮想端末アドレスと、移動ネットワークの移動によって変わる一時中継アドレスとの対応をサーバ側仮想アドレス対応表に記録しているので、基地局ネットワークの移動によって移動端末のアドレスが変化しなくても、接続先の基地局の変化に追従することができるので、通信が途切れることがなく確実に行える。
【００３７】
また、仮想端末アドレスと一時中継アドレスとの対応を保存するために、請求項１０に記載の発明では、仮想端末アドレスと一時中継アドレスとの対応を保存するためのサーバ側仮想アドレス対応表を有し、移動データ中継装置によって中継された送信データの有する仮想端末アドレスと一時中継アドレスとを対応させサーバ側仮想アドレス対応表に記録することを特徴としている。
【００３８】
このようにすることで、移動端末から送信データが送られてきた時に仮想端末アドレスと返送先アドレスとの対応を保存するようになっていれば、返信データを中継するときにこの対応表から一時中継アドレスを知ることができる。このようにしておけば、サーバ側データ中継装置が対応の保存のために移動端末や基地局データ中継装置と特別なデータ通信を別に行う必要が無くなる。
【００３９】
また、送信データと返信データの書き換え方の一例として、請求項１１に記載の発明では、請求項１０に記載のサーバ側データ中継装置において、移動データ中継装置によって中継され、送信元の情報が格納される送信元アドレス部と、仮想アドレス部と、を有する送信データの送信元アドレス部には一時中継アドレスが格納されていて、仮想アドレス部には仮想端末アドレスが格納されている送信データを受け取ると、この送信データの送信元アドレス部に仮想アドレスを格納してサーバへ送出し、送信データを受け取ったサーバからの、宛先の情報を格納する宛先アドレス部と、仮想アドレス部とを有する仮想端末アドレス宛の返信データを受け取ると、この返信データの仮想アドレス部に仮想端末アドレスを格納し、宛先アドレス部に一時中継アドレスを格納して送出することを特徴としている。
【００４０】
また、このサーバ側データ中継装置と連携してデータ中継を行う移動データ中継装置として、請求項１２に記載の発明では、基地局と無線通信し、移動に基づいて無線通信する相手の基地局を変え、自己内のセグメントである移動セグメントと、基地局と無線通信を行い同一の基地局と無線通信しているあいだ使用可能である一時中継アドレスを自己のアドレスとする移動無線インターフェースと、を有する移動ネットワークに属し、属する移動ネットワークを変えても変化しない仮想端末アドレスを自己のアドレスの１つとする移動端末と、サーバと、の間で複数のセグメントから成る広域ネットワークを介して行われるデータ通信において、  移動セグメントと移動無線インターフェースとの間でデータ通信を中継するデータ中継装置であって、データ通信のために移動端末が送出した送信データを受け取ると、この送信データが仮想端末アドレスと一時中継アドレスとを有するように書き換えてサーバ宛に送出し、この送信データは、請求項１０または１１に記載のサーバ側データ中継装置によって中継されてサーバに届き、それに基づきこのサーバが仮想端末アドレス宛に送出してサーバ側データ中継装置が中継した返信データが最終的に移動端末に届くようになっていることを特徴としている。
【００４１】
これによって、サーバから仮想端末アドレス宛に送出され、サーバ側データ中継装置によって中継された返信データは、確実に移動データ中継装置に届き、移動データ中継装置はこの返信データを移動端末に送ることができる。
【００４２】
また、この移動データ中継装置が移動端末の仮想端末アドレスと一時端末アドレスとの対応を保存するために、請求項１２に記載の発明では、同一の移動ネットワークに属している間使用可能なアドレスである一時端末アドレスを自己のアドレスの１つとする移動端末の仮想端末アドレスと一時端末アドレスとの対応を保存するための移動仮想アドレス対応表を有していることを特徴としている。
【００４３】
このような対応表は、この基地局データ中継装置が返信データを中継するときに、この返信データを受け取るべき仮想端末アドレスから配送する一時端末アドレスを知るための手法の１つである。
【００４４】
また、送信データと返信データの書き換え方の一例として、請求項１３に記載の発明では、請求項１２に記載の移動データ中継装置において、データ通信において移動端末から送出された、送信元の情報を格納する送信元アドレス部と、仮想アドレス部と、を有する送信データを受け取ると、この送信データの送信元アドレス部に一時中継アドレスを格納し、仮想アドレス部に仮想端末アドレスを格納してサーバ宛に送出することを特徴としている。
【００４５】
また上記したサーバ側データ中継装置と移動データ中継装置の中継によってサーバと通信を行う移動端末として、請求項１４に記載の移動端末は、基地局と無線通信し、移動に基づいて無線通信する相手の基地局を変え、自己内のセグメントである移動セグメントと、基地局を相手に無線通信を行う部分であり、同一の基地局を相手に無線通信しているあいだ使用可能である一時中継アドレスを自己のアドレスとする移動無線インターフェースと、請求項１２または１３に記載の移動データ中継装置と、を有する移動ネットワークに属するときに、広域ネットワークを介してサーバとデータ通信を行い、同一の移動ネットワークに属しているあいだ使用可能である一時端末アドレスと、属する移動ネットワークを変えても変化しない仮想端末アドレスとを自己のアドレスとし、データ通信のための送信データが仮想端末アドレスを有するように作成して送出し、請求項１２または１３に記載の移動データ中継装置と請求項１０または１１に記載のサーバ側データ中継装置とによって中継されてサーバに届いた送信データに基づいてサーバが送出し、サーバ側データ中継装置と移動データ中継装置とが中継した返信データを受け取ることを特徴としている。
【００４６】
このような移動端末では、移動ネットワークが接続する基地局セグメントを変更しても変わることのない仮想端末アドレスを自らのアドレスとし、サーバ宛に送出する送信データがその仮想端末アドレスを有するようにすることで、上記した基地局データ中継装置とサーバ側データ中継装置とによって中継されてサーバと途絶えることのない通信を行うことが可能となる。
【００４７】
また、請求項１５に記載の発明では、請求項１４に記載の移動端末において、同時に複数の基地局と無線通信によって接続するための複数の無線インターフェースを有し、それぞれの無線インターフェースが異なる一時端末アドレス使用することを特徴としているように、この移動端末は同時に複数の基地局と無線通信ができるようになっていてもよい。
【００４８】
また、移動端末において送信データが仮想端末アドレスを含むようにするための一例として、請求項１６に記載の発明では、請求項１４または１５に記載の移動端末において、データ通信のために作成する、送信元の情報を格納する送信元アドレス部を有する送信データの送信元アドレス部に仮想端末アドレスを格納して送出することを特徴としている。
【００４９】
また、サーバが最初に無線端末へパケットを送る場合、すなわちサーバからプッシュする形でパケットを送信する場合に確実にデータ通信を行うためのものとして、請求項１７に記載のアドレス情報センターは、サーバと請求項１４ないし１６のいずれか１つに記載の移動端末とのデータ通信において、移動端末の接続先である基地局セグメントを変えても変化しない仮想端末アドレスと、サーバから仮想端末アドレスに宛てた通信データを受ける請求項１０または１１に記載のサーバ側データ中継装置が通信データを送出する宛先であるプッシュ先アドレスと、の対応を保存するためのセンター仮想アドレス対応表を有し、移動端末が属し、基地局と無線通信し、移動に基づいて無線通信する相手の基地局を変え、自己内のセグメントである移動セグメントを有する移動ネットワークが基地局と新たに無線通信を開始するとき、移動端末の仮想端末アドレスと返送先アドレスとの対応の通知を受け、それに基づいて対応をセンター仮想アドレス対応表に記録し、必要なときにサーバ側データ中継装置にこの対応を通知することを特徴としている。
【００５０】
このようなアドレス情報センターがあると、例えばサーバからある仮想端末アドレスへのパケットが送出されたとき、この仮想端末アドレスと返送先アドレスとの対応をサーバ側データ中継装置が持っていない場合などにおいて、このアドレス情報センターから通知を受けることによりこの対応を得て、サーバ側から端末への通信を可能とすることができる。
【００５１】
また、請求項１８に記載の上下基地局データ中継装置では、基地局と無線通信することによって基地局の属する基地局セグメントに接続し、接続先の基地局セグメントを変えても変化しない仮想端末アドレスを自己のアドレスの１つとし、複数の基地局と接続するために、それぞれ１つの基地局と無線通信しているあいだ使用可能な一時インターフェースアドレスを自己のアドレスとする上下無線インターフェースと下り無線インターフェースとを有する移動端末と、サーバと、の間で複数のセグメントから成る広域ネットワークを介して行われるデータ通信において、上下無線インターフェースと広域ネットワークとの間でデータ通信を中継するデータ中継装置であって、移動端末からサーバへのデータ通信の経路である上り回線と、サーバから移動端末へのデータ通信の経路である下り回線とを異なるものとするデータ通信のために移動端末が送出した送信データを受け取ると、この送信データが仮想端末アドレスと、送信データに対する返送先を指定する返送先アドレスと、を有するように書き換えてサーバ宛に送出し、送出された送信データは、サーバの属するサーバ側セグメントと広域ネットワークとの間でデータ通信を中継するサーバ側データ中継装置によって中継されてサーバに届き、送信データに基づいてサーバが送出した仮想アドレス宛の返信データがサーバ側データ中継装置と、下り無線インターフェースと同一セグメントに属する基地局データ中継装置である下り基地局データ中継装置と、が中継して移動端末に届くようになっていることを特徴としている。
【００５２】
このように、移動端末が上下無線インターフェースと下り無線インターフェースの２つの無線インターフェースを有し、基地局中継装置が送信データ中の返送先アドレスを決めることにより、確実に上り回線と下り回線を異なるものとして通信を行うことができ、通信の効率が向上する。
【００５３】
また、返送先アドレスの一例として、請求項１９に記載の上下基地局データ中継装置においては、返送先アドレスを下り基地局データ中継装置のアドレスとしている。
【００５４】
これによって、サーバから仮想端末アドレス宛に送出され、サーバ側データ中継装置によって中継された返信データは、確実に下り基地局データ中継装置に届き、基地局データ中継装置はこの返信データを移動端末に送ることができる。
【００５５】
また、この上下基地局データ中継装置が移動端末の仮想端末アドレスと一時端末アドレスとの対応を保存するために、請求項１８に記載の発明では、移動端末の仮想端末アドレスと下り基地局データ中継装置のアドレスとの対応を保存するための基地局仮想アドレス対応表を有していることを特徴としている。
【００５６】
また、送信データと返信データの書き換えの一例として、請求項２０に記載の発明では、請求項１８または１９に記載の上下基地局データ中継装置において、データ通信において移動端末から送出された、送信元の情報を格納する送信元アドレス部と、仮想アドレス部とを有する送信データを受け取ると、この送信データの送信元アドレス部に返送先アドレスを格納し、仮想アドレス部に仮想端末アドレスを格納してサーバ宛に送出することを特徴としている。
【００５７】
また、この上下基地局データ中継装置と連携してデータ中継を行うサーバ側データ中継装置として、請求項２１に記載の発明では、基地局と無線通信することによって基地局の属する基地局セグメントに接続し、接続先の基地局セグメントを変えても変化しない仮想端末アドレスを自己のアドレスの１つとする移動端末と、サーバと、の間で複数のセグメントから成る広域ネットワークを介して行われるデータ通信において、サーバの属するセグメントであるサーバ側セグメントと広域ネットワークとの間でデータ通信を中継するデータ中継装置であって、移動端末からサーバへのデータ通信の経路である上り回線と、サーバから移動端末へのデータ通信の経路である下り回線とを異なるものとするデータ通信のために移動端末から送出され請求項１８または１９に記載の上下基地局データ中継装置によって中継された送信データを受け取ると、サーバがそれを受け取って仮想端末アドレス宛に返信データを送出するように送信データの情報を書き換えて送出し、返信データを受け取ると、返信データが下り基地局データ中継装置によって中継されて移動端末に届くように返信データの情報を書き換えて送出することを特徴としている。
【００５８】
また上記したサーバ側データ中継装置と上下基地局データ中継装置の中継によってサーバと通信を行う移動端末として、請求項２２に記載の移動端末は、基地局と無線通信によって接続し、広域ネットワークを介してサーバとデータ通信を行い、接続先の基地局が変わっても変化しない仮想アドレスを自己のアドレスとし、複数の基地局と接続するための上下無線インターフェースと下り無線インターフェースとを有し、これら上下無線インターフェースと下り無線インターフェースはそれぞれ１つの基地局と無線通信しているあいだ使用可能な一時インターフェースアドレスを自己のアドレスとし、移動端末からサーバへのデータ通信の経路である上り回線と、サーバから移動端末へのデータ通信の経路である下り回線とを異なるものとするデータ通信のための送信データが仮想端末アドレスを有するように作成し、上下インターフェースより送出し、送出した送信データは請求項１８ないし２０のいずれか１つに記載の上下基地局データ中継装置と請求項２１に記載のサーバ側データ中継装置とによって中継されてサーバに届き、送信データに基づいてサーバが送出し、サーバ側データ中継装置と基地局データ中継装置とが中継した返信データを下り無線インターフェースより受け取ることを特徴としている。
【００５９】
このように、上り無線インターフェースと下り無線インターフェースを有し、さらに上り無線インターフェースを上り回線として、下り無線インターフェースを下り回線として利用できるような無線端末を使うことにより、上下の回線の異なる通信を行うことが確実にでき、通信の効率の向上に繋がる。
【００６０】
また、移動端末において送信データが仮想端末アドレスを含むようにするための一例として、請求項２３に記載の発明では、請求項２２の移動端末において、データ通信のために作成し送出した、送信元の情報を有する送信元アドレス部を有する送信データの送信元アドレス部に仮想端末アドレスを格納して送出することを特徴としている。
【００６１】
【発明の実施の形態】
（第１実施形態）
図１に本発明の第１実施形態において行うデータ通信における経路の全体構成を示す。移動端末１が無線通信によって接続する基地局ＡＰ１、ＡＰ２、…、ＡＰｎ（以下ＡＰｘと記す）はそれぞれの基地局セグメントに属している。移動端末１は基地局ＡＰｘと接続することにより基地局セグメントに属し、この基地局セグメントを介してインターネット２とデータ通信を行う。このデータ通信は、移動端末１と同一の基地局セグメントに属し、基地局セグメントとインターネットとの間にある基地局ルータＢＲ１、ＢＲ２、…、ＢＲｎ（以下ＢＲｘと記す）によって中継される。またサーバ３の属するサーバ側セグメントはサーバ側ルータＳＲ１を介してインターネット２と接続している。
【００６２】
インターネット２やそれぞれのセグメントではＩＰ（Ｉｎｔｅｒｎｅｔ  Ｐｒｏｔｏｃｏｌ）が使用されているが、移動端末１、基地局ＢＲｘ、サーバ側ルータＳＲ１は、ＶＩＰ（Ｖｉｒｔｕａｌ  Ｉｎｔｅｒｎｅｔ  Ｐｒｏｔｏｃｏｌ）にも対応している。
【００６３】
ＶＩＰでは、接続する基地局セグメントに依存したＩＰアドレスとは別に、接続する基地局セグメントを移って変わらないＶＩＰアドレスを移動端末１の識別子として割り当てる。ＶＩＰにおける通信データの基本単位であるＶＩＰパケットは通常の通信データの基本単位であるＩＰパケットが有するＩＰヘッダ部の他にＶＩＰヘッダ部を有し、この部分には上記したＶＩＰアドレスが格納される。移動端末１が無線接続の相手をある基地局セグメントから別の基地局セグメントに移せばそのＩＰアドレスは変化するが、ＶＩＰアドレスは変化しない。従ってＶＩＰアドレスとＩＰアドレスとの対応づけ、すなわちＶＩＰアドレス→ＩＰアドレス解決を常に行うことができるものがあれば、移動端末１とインターネット２上のサーバ３との間の通信においてサーバ３はＶＩＰアドレスを参照することによって移動端末１の同一性を失うことがなくなり、通信の途絶を防止できる。
【００６４】
このアドレス解決を行う役割を果たすのがインターネット２内の各セグメント間の中継点に位置するＶＩＰ対応のルータである。ＶＩＰに対応したルータは、移動端末１が送信したＶＩＰパケットを中継あるいは受信する毎に、そのＶＩＰパケットに含まれるＩＰアドレスとＶＩＰアドレスの関係を保存する。以後はそのＶＩＰアドレス宛のパケットがこのルータを通ると、ルータはＶＩＰアドレスに対応するＩＰアドレス宛にこのパケットを配送し、これによって正しい移動端末１にパケットが送られることになる。
【００６５】
ただし、従来技術としてのＶＩＰによるパケットの配送技術ではネットワーク上のルータのいずれかがＶＩＰに対応する必要があるが、どのルータをＶＩＰに対応させるかについての規定はなく、対応させるルータの配置によっては非常に遠回りな通信経路となってしまい、効率の悪い通信となってしまうという問題があるので、本実施形態においてはその問題を解決するように構成されている。
【００６６】
なお、実際にはサーバ３、サーバ側セグメント、サーバ側ルータは複数組存在するが、そのうちの１つの組と移動端末１との通信について説明すれば十分なので、簡単のため図１中ではサーバ３、サーバ側セグメント、サーバ側ルータＳＲ１の１組しか記載していない。また、厳密には基地局ルータＢＲｘやサーバ側ルータＳＲ１はインターネット２の構成要素としてのセグメントとの間でデータ通信の中継をしていると表現すべきであるが、簡単のため本明細書においては特に詳記する必要のない限りこれをインターネット２との間で中継をしている、あるいはインターネットに接続していると表現する。
【００６７】
移動端末１は図１の２点鎖線内に示すように基地局と無線通信による接続手続き等を行う端末無線機１１と、この端末無線機１１を介して通信データの処理、送受を行う処理部１２から成る。この移動端末１はデータ通信のアクセスポイントでもある基地局ＡＰｘに無線接続し、この基地局ＡＰｘの属するセグメントである基地局セグメントを介してインターネット２と接続する。この際、移動端末１は一般にＤＨＣＰと呼ばれるアドレス割り当て手順によってＩＰアドレスを付与される。ＩＰアドレスの付与はＤＨＣＰサーバと呼ばれるホストコンピュータによって行われるが、ここでは基地局ルータＢＲｘがＤＨＣＰサーバを兼ねることとする。このＩＰアドレスはあらかじめ基地局セグメントに割り当てられたＩＰアドレス空間から選択された１つであり、他のセグメント内においては使用することができないので、移動端末１が無線通信する基地局ＡＰｘを変えて属する基地局セグメントが変われば付与されるＩＰアドレスも変化する。
【００６８】
また移動端末１は付与されたＩＰアドレス以外にも、接続する基地局セグメントを変えても変化することのない端末固有のＶＩＰアドレスを有している。このＶＩＰアドレスのアドレス形式はＩＰアドレスと同じものであり、ＩＰアドレス空間の部分空間をＶＩＰアドレス空間として流用する。このＶＩＰアドレスと上記したＩＰアドレスを自己のアドレスとして移動端末１はデータ通信を行う。ここでは移動端末１の有するＶＩＰアドレスを端末ＶＩＰアドレス、移動端末１に割り当てられたＩＰアドレスを端末ＩＰアドレスと呼ぶ。
【００６９】
移動端末１はインターネット２を介してデータ通信を行う際、インターネット２宛にデータ通信の基本単位であるＶＩＰパケットを送出する。図２にこのＶＩＰパケットの構造およびＶＩＰアドレスの格納場所についての概略を示す。ＶＩＰパケットはネットワーク上の配送に関係する情報を有するＩＰヘッダ部と実際に渡したいデータを格納するデータ部とを有し、ＩＰヘッダ部にはパケットの送信元のＩＰアドレスを格納する送信元アドレス部と、パケットの宛先のＩＰアドレスを格納する宛先アドレス部と、オプション部とがある。ここまでは通常のＩＰで使用されるＩＰパケットと同じ構造であるが、ＶＩＰパケットに特有な点として、オプション部内にＶＩＰ部が設けられている。
【００７０】
このような構造のパケットはＶＩＰに対応したルータ等のネットワーク機器にとってはＶＩＰパケットとして認識されるが、ＩＰにしか対応していない通常のネットワーク機器にとってはＩＰパケットであると認識される。
【００７１】
通常のＩＰにおいては送信元アドレス部には送信元のＩＰアドレスを格納するが、ここでは移動端末１は送信元アドレス部に端末ＶＩＰアドレスを格納して送出するように構成されている。
【００７２】
基地局ルータＢＲｘは基地局セグメントとインターネット２上との間にあり、基地局セグメントに接続するインターフェースとインターネット２に接続するインターフェースとを有し、これにより両者の間でパケットの中継および配送経路の制御を行うことができるようになっている。また、基地局ルータＢＲｘは自己の基地局セグメントに属している移動端末１の端末ＶＩＰアドレスと端末ＩＰアドレスとの対応を複数組記録することのできる基地局ＶＩＰ対応表を有しており、移動端末１がこの基地局ルータＢＲｘに接続する際に、その移動端末１の端末ＶＩＰアドレスと端末ＩＰアドレスとの対応を基地局ＶＩＰ対応表に記録して保存し、移動端末１がこの基地局ルータＢＲｘとの接続を切る際にはこの対応を削除するようになっている。
【００７３】
この基地局ルータＢＲｘは、基地局セグメントからインターネット２へ送出するパケットの送信元アドレス部に端末ＶＩＰアドレスが格納されていれば、この端末ＶＩＰアドレスをパケットのＶＩＰ部に移して格納し、送信元アドレス部には自己のＩＰアドレスを格納し、その後にパケットの送出を行うようになっている。
【００７４】
また、インターネット２から自己に宛てられたパケットのＶＩＰ部に端末ＶＩＰアドレスが格納されていれば、基地局ＶＩＰ対応表からその端末ＶＩＰアドレスに対応したＩＰアドレスを読み出し、そのＩＰアドレスを宛先アドレス部に格納してパケットを基地局セグメントに送出するようになっている。
【００７５】
すなわち、基地局ルータＢＲｘは通常のルータ機能に加え、基地局ＶＩＰ対応表作成機能とパケットのヘッダ書き換え機能とを有していることになる。
【００７６】
サーバ側ルータＳＲ１は、サーバ側セグメントとインターネット２との間にあり、サーバ側セグメントに接続するインターフェースとインターネット２に接続するインターフェースとを有し、これにより両者の間でパケットの中継および配送経路の制御を行うことができるようになっている。また、サーバ側ルータＳＲ１は端末ＶＩＰアドレスと、サーバ３から移動端末１へのパケットを中継するときに参照する返送先アドレスとの対応を複数組記録して保存することのできるサーバ側ＶＩＰ対応表を有している。
【００７７】
このサーバ側ルータＳＲ１は、インターネット２からサーバ側セグメントへ送出するパケットのＶＩＰアドレス部にＶＩＰアドレスが格納されていれば、そのＶＩＰアドレスと送信元アドレス部に格納されたＩＰアドレスとを対応づけ、その対応がサーバ側ＶＩＰ対応表に記録されていなければ新たに記録する。そしてこのＶＩＰアドレスを送信元アドレス部に格納し、ＶＩＰ部をクリアした後にパケットを送出する。なお、サーバ側ＶＩＰ対応表に既にそのＶＩＰアドレスと別のＩＰアドレスとの対応が記録されていれば、それを削除した後新しい対応を記録するようになっている。
【００７８】
また、サーバ側セグメントからインターネット２へ送出するパケットの宛先アドレス部に、サーバ側ＶＩＰ対応表に記録されているＶＩＰアドレスと同じものが格納されている場合、表中のそのＶＩＰアドレスに対応するＩＰアドレスをパケットの宛先アドレス部に格納し、ＶＩＰアドレスはＶＩＰ部に格納し、その後にパケットを送出するようになっている。
【００７９】
すなわち、サーバ側ルータＳＲ１は通常のルータ機能に加え、サーバ側ＶＩＰ対応表作成機能とパケットのヘッダ書き換え機能とを有していることになる。
【００８０】
サーバ３は、移動端末１等のクライアントとの通信における通常の動作をおこなうようになっている。すなわち、受け取ったパケットに基づく処理を行い返送するデータを作成し、受け取ったパケットの送信元アドレス部に格納された内容を宛先アドレス部に、自分のＩＰアドレスを送信元アドレス部に、そして返送するデータをデータ部に格納したパケットを送信するようになっている。
【００８１】
ここで、移動端末１が基地局ＡＰ１と無線通信により接続している場合における、移動端末１とサーバ３とのＩＰパケットのやりとりについて、移動端末１、基地局ルータＢＲ１、サーバ側ルータＳＲ１、サーバ３におけるパケットのＩＰヘッダ部の変化を示した図３によって説明する。なお、図面を含めた本明細書においては特定のＩＰアドレス、ＶＩＰアドレスを示すときにその具体的な値は記載せず、Ｓ、ＴＶ、Ｂ１、Ｗ等のシンボリックな形式で表現している。
【００８２】
移動端末１によって作成された、サーバ３に宛てた送信パケットのＩＰヘッダ部には、宛先アドレスとしてサーバ３のＩＰアドレスであるＳ、送信元アドレスには端末ＶＩＰアドレスであるＴＶが格納されている。これは、上述したようにＶＩＰに対応したネットワーク機器から見ればＶＩＰパケットであり、ＩＰにのみ対応したネットワーク機器から見ればＩＰパケットである。
【００８３】
基地局セグメント内から送信されたサーバ宛の送信パケットは全て基地局ルータＢＲ１によって中継されるので、この送信パケットはまず基地局ルータＢＲ１が受け取る。このとき、基地局ルータＢＲ１は送信元アドレス部に格納されているＴＶをＶＩＰアドレス部に移して格納し、送信元アドレス部には自分のＩＰアドレスであるＢ１を格納し、その後にインターネット２に送出する。
【００８４】
この送信パケットは通常のルータから見れば基地局ルータＢＲ１からサーバ３へのパケットであるように見えるので、このままサーバ側ルータＳＲ１に届けられる。
【００８５】
サーバ側ルータＳＲ１は、この送信パケットがＶＩＰ部にＶＩＰアドレスを格納していることを検知し、その格納しているＴＶと送信元アドレス部のＢ１をと対応づけ、その対応がサーバ側ＶＩＰ対応表に記録されていなければ新たに記録する。その際、もしサーバ側ＶＩＰ対応表中においてＴＶと、Ｂ１以外のＩＰアドレスと、の対応が記録されていれば、それを削除する。そして、ＶＩＰ部に格納されていたＴＶを送信元アドレス部に移して格納し、ＶＩＰ部をクリアしてサーバ側セグメントへ送出する。
【００８６】
この時点で、送信パケットの宛先アドレス部にはサーバ３のＩＰアドレスであるＳが、送信元アドレスには端末ＶＩＰアドレスであるＴＶが格納されている。従って、この送信パケットはサーバ３に届けられ、サーバ３はこの送信パケットの送信元はＴＶであると判断し、応答のための返信パケットを作成し、その返信パケットの宛先アドレス部にはＴＶを、送信元アドレス部にはＳを格納する。
【００８７】
このようにして作成された返信パケットはサーバ側セグメント外を宛先としているので、まず中継のためにサーバ側ルータＳＲ１が受け取る。サーバ側ルータＳＲ１は、この返信パケットの宛先アドレス部に格納されたＴＶがサーバ側ＶＩＰ対応表に記録されているＶＩＰアドレスの１つと一致すれば、このサーバ側ＶＩＰ対応表中のＴＶと対応するＩＰアドレス、すなわちＢ１を返信パケットの宛先アドレス部に格納し、ＶＩＰ部にＴＶを格納し、その後に返信パケットをインターネット２に送出する。
【００８８】
この返信パケットの宛先アドレスはＢ１となっているので、インターネット２上の通常のルータはこれを基地局ルータＢＲ１に配送する。
【００８９】
この返信パケットを受け取った基地局ルータＢＲ１はＶＩＰ部にＴＶが格納されていることを検知すると、基地局ＶＩＰ対応表からこのＴＶに対応する端末ＩＰアドレスであるＴを読み出し、これを宛先アドレス部に格納し、その後この返信パケットを基地局セグメント内に送出する。移動端末１はこの返信パケットを受け取り、返信パケットの送信元アドレス部にサーバ３のアドレスであるＳが入っていることから、これがサーバ３からのものであると認識する。このようなパケットの配送手順により、移動端末１とサーバ３はデータ通信を確立することができる。
【００９０】
ここで、基地局ルータＢＲ１から見たサーバー側ルータＳＲ１とサーバ３の動作についてまとめて述べる。図３に見られるように、基地局ルータＢＲ１からサーバ側ルータＳＲ１へ送ったパケットは宛先アドレス部：送信元アドレス部：ＶＩＰ部の組がＳ：Ｂ１：ＴＶとなっており、このパケットを受け取ったサーバ側ルータＳＲ１およびサーバ３はこのパケットに対して処理を行い、最終的にはサーバ側ルータＳＲ１から基地局ルータＢＲ１に返送されるパケットは宛先アドレス部：送信元アドレス部：ＶＩＰ部の組がＢ１：Ｓ：ＴＶとなっている。
【００９１】
すなわち、基地局ルータＢＲ１から見れば、サーバ側ルータＳＲ１とサーバ３は、受け取ったパケットの宛先アドレス部と送信元アドレス部とに格納された値を、それぞれ返送するパケットの送信元アドレス部と宛先アドレス部とに入れ替えて格納するという動作をしている。この、基地局ルータから見たサーバー側ルータＳＲ１とサーバ３の動作については、後述する第２、第３実施形態でも説明の簡略化のために参照する。
【００９２】
上述してきたようなデータの配送において重要なのは、このデータ通信においてサーバ３が移動端末１のアドレスを移動端末１に固有な端末ＶＩＰアドレスであるＴＶであると認識していることである。このため、移動端末１が無線通信する基地局ＡＰｘを変えることによって端末ＩＰアドレスを変えても、サーバ３はそのことを検知して対応する必要がない。
【００９３】
このことを詳しく見るために、実際に移動端末１が基地局ＡＰ１に接続し、その後基地局ＡＰ１から基地局ＡＰ２に接続先を移すときに各ネットワーク機器で行われるハンドオーバーの手順を以下に説明する。この手順を、各ネットワーク機器間の信号のやりとりを中心に表現したものが図４である。
【００９４】
まず、移動端末１の端末無線機１１が基地局ＡＰ１と通信可能となると、移動端末１は基地局ＡＰ１を介してＤＨＣＰサーバである基地局ルータＢＲ１に自分の端末ＩＰアドレスを要求する。要求を受けた基地局ルータＢＲ１は使用されていない端末ＩＰアドレスを割り当て、それを基地局ルータＢＲ１のＩＰアドレスと共に移動端末１に通知する。これによって以後移動端末１は割り当てられたＩＰアドレスを基地局ＡＰ１から基地局ＡＰ２に移動するまで自己のアドレスとして使用する。
【００９５】
そして、移動端末１は自分の端末ＶＩＰアドレスを基地局ルータＢＲ１に通知すると、これを受けた基地局ルータＢＲ１は保有する基地局ＶＩＰ対応表に端末ＶＩＰアドレスと端末ＩＰアドレスとの対応を記録する。これにより接続開始時の準備は終わり、ＶＩＰによるデータ通信が開始される。
【００９６】
移動端末１からサーバ３へ送信パケットが最初に送られる際には、前述の通りサーバ側ルータＳＲ１においてサーバ側ＶＩＰ対応表に移動端末１のＶＩＰアドレスと基地局ルータＢＲ１のＩＰアドレスとの対応を記録する。このようにしてデータ通信を確立し、移動端末１はサーバ３とデータの授受を行う。
【００９７】
その後、移動端末１が移動し、基地局ＡＰ１、基地局ＡＰ２の双方が利用可能なエリアに入ったとする。それを検知した端末無線機１１は処理部１２にそれを通知する。
【００９８】
処理部１２が通知を受けると、移動端末１は基地局ＡＰ１、基地局ルータＢＲ１を介して基地局ルータＢＲ２のＤＨＣＰサーバに新しい端末ＩＰアドレスを要求する。これに応じて基地局ルータＢＲ２は基地局ルータＢＲ１、基地局ＡＰ１を介して移動端末１に新しい端末ＩＰアドレスを基地局ルータＢＲ２のＩＰアドレスと共に通知する。
【００９９】
これを受けた移動端末１は、基地局ルータＢＲ１に接続先を基地局ＡＰ１から基地局ＡＰ２に移すことを宣言し、それに基づいて基地局ルータＢＲ１は基地局ＶＩＰ対応表中の無線端末１の端末ＶＩＰアドレスと端末ＩＰアドレスとの対応とを削除する。
【０１００】
この後、移動端末１は基地局ＡＰ１との無線通信を切断し、基地局ＡＰ２と接続する。その際基地局ルータＢＲ２は基地局ＶＩＰ対応表に端末ＶＩＰアドレスと新たな端末ＩＰアドレスとの対応を記録する。また、このとき同時にサーバ側ルータＳＲ１に移動端末１が基地局ＡＰ２を使用することを通知し、サーバー側ＶＩＰ対応表から以前のＩＰアドレスとＶＩＰとの対応の削除、新たなＩＰアドレスとＶＩＰとの対応の記録を行わせてもよいし、後に移動端末１がサーバＳと通信するために送信パケットを送出することでサーバ側ルータＳＲ１に上記のようなサーバ側ＶＩＰ対応表の書き換えを行わせてもよい。
【０１０１】
このようにすることで、移動端末１が無線通信する基地局ＡＰｘを変えて接続する基地局セグメントを移ったときには基地局ルータＢＲｘとサーバ側ルータＳＲ１とがそれぞれのＶＩＰ対応表を書き換えるので、サーバ３は移動端末１に固有のＶＩＰアドレスを使用することによって移動端末１を常に識別でき、両者の間の通信が移動端末１の移動によっても途切れることがなくなる。
【０１０２】
また、ＶＩＰに対応し、ＶＩＰ対応表を有するルータが基地局ルータＢＲｘとサーバ側ルータＳＲ１とにだけあればいいので、中継点の様々な場所にＶＩＰ対応ルータを設置する必要がなくなるので、導入が容易になる。
【０１０３】
また、ＶＩＰに対応し、ＶＩＰ対応表を有するルータが必ず基地局ルータＢＲｘとサーバ側ルータＳＲ１とにあり、パケットが常に効率のよい経路を通ることができるので、ＶＩＰに対応するルータの配置によってはパケットが大きく迂回して届けられるという問題が解決される。
【０１０４】
（第２実施形態）
図５に、本発明の第２実施形態において行うデータ通信における経路の全体構成を示す。本実施形態では移動端末１が、基地局ＢＲｘと無線通信し移動に基づいて無線通信する相手の基地局ＢＲｘを変える移動ネットワーク４に属している場合の、移動端末１とサーバ３とのデータ通信について説明する。
【０１０５】
インターネット２やそれぞれのセグメントではＩＰが使用されているが、移動端末１、移動ルータＣＲ、サーバ側ルータＳＲ１は、ＶＩＰにも対応している。
【０１０６】
本実施形態において特徴的なことは、移動ネットワーク４が移動して、無線通信をする相手の基地局が変化しても、移動ネットワーク４に属している機器のＩＰアドレスに変化はないことである。それゆえ、移動端末１は常に同じＩＰアドレスを有するので、従来技術としてのＶＩＰやｍｏｂｉｌｅＩＰではホームエージェントやルータが移動端末１のＩＰアドレスを知っていても配送経路を確認できず、結果として通信の途絶を招いてしまう。以下で詳述するように、本実施形態においては移動ネットワーク４が有する移動ルータＣＲをＶＩＰ対応とすることでこの問題を解決している。
【０１０７】
なお、この実施形態においては、移動端末１と、基地局ＡＰｘと、インターネット２と、サーバ側ルータＳＲ１と、サーバ３との構成、作動については第１実施形態と同様であるので、ここではそれらに関する詳細な記載は省略するものとする。また、基地局ルータＢＲｘは第１実施形態の様にＶＩＰに対応する必要はなく、基地局ルータＢＲｘは通常のルータ、およびＤＨＣＰサーバとして作動する。
【０１０８】
図５中の２点鎖線内に示される移動ネットワーク４は、無線通信により基地局ＡＰｘと接続し、この接続の度に基地局ルータＢＲｘからＩＰアドレスを付与される移動ネット無線機ＷＤと、移動ネットワーク内のセグメントである移動セグメント４２と、この移動セグメント４２に属している移動端末１と、移動ネット無線機ＷＤと移動セグメント４２との間にあってデータ通信の中継をする移動ルータＣＲとから成る。なお、この移動ルータＣＲは移動端末１に対するＤＨＣＰサーバも兼ねている。
【０１０９】
移動ネットワーク４の例としては、電車、飛行機、バス、船舶等の移動手段内に敷設されたネットワークが考えられる。これらの移動手段に搭乗する人が移動端末１やコンピュータ、電子機器等の固定端末をこの移動セグメント４２に接続し、移動ネット無線機ＷＤは移動する度に無線通信する基地局を変えることによりインターネット２等の広域ネットワークに接続し続けることができる。なお、本実施形態ではＶＩＰアドレスを有する移動端末１が移動ネットワーク４に接続する場合について説明しているので、移動セグメント４２に接続された固定端末については言及しない。
【０１１０】
また、移動セグメント４２には、移動ネット無線機ＷＤが無線通信する基地局ＡＰｘによらない固有のＩＰアドレス空間が割り当てられており、移動ルータＣＲと移動セグメント４２とを接続するインターフェースにはこのＩＰアドレス空間の中から１つが割り当てられている。
【０１１１】
この移動セグメントに属する移動端末１は、ＤＨＣＰによりこのアドレス空間の中から１つが付与される。
【０１１２】
また、移動ルータＣＲは移動セグメント４２に属している移動端末１の端末ＶＩＰアドレスと端末ＩＰアドレスの対応を複数組記録することのできる移動ＶＩＰ対応表を有しており、移動端末１が移動セグメント４２に属する際に、その移動端末１の端末ＶＩＰアドレスと端末ＩＰアドレスの対応を移動ＶＩＰ対応表に記録し、移動端末１がこの移動セグメント４２から離れる際にはこの対応を削除するようになっている。
【０１１３】
また、この移動ルータＣＲは、移動ネットワーク４から基地局セグメントを介してインターネット２へ送出するパケットの送信元アドレス部にＶＩＰアドレスが格納されていれば、このＶＩＰアドレスをパケットのＶＩＰ部に移して格納し、送信元アドレス部には移動ネット無線機ＷＤのＩＰアドレスである無線機ＩＰアドレスを格納し、その後にパケットの送出を行うようになっている。
【０１１４】
また、インターネット２から基地局セグメントを介して自己に宛てられたパケットのＶＩＰ部にＶＩＰアドレスが格納されていれば、そのＶＩＰアドレスを宛先アドレス部に格納してパケットを移動セグメントに送出するようになっている。
【０１１５】
ここで、移動端末１が属している移動ネットワーク４が移動ネット無線機ＷＤにより基地局ＡＰ１と接続している場合における、移動端末１とサーバ３とのＩＰパケットのやりとりについて、移動端末１、移動ルータＣＲ、サーバ側ルータＳＲ１、サーバ３におけるパケットのＩＰヘッダ部の変化を示した図６によって説明する。ただし、移動端末１、サーバ３およびサーバ側ルータＳＲ１の動作やＩＰアドレス、ＶＩＰアドレスについては上述した第１実施形態と均等であるので、詳細な記述は省略する。
【０１１６】
移動端末１からサーバ３宛に送出された送信パケットの宛先アドレス部にはＳが、送信元アドレス部にはＴＶが格納されている。移動ルータＣＲはこれを受け取り、ＴＶをＶＩＰ部に、移動ネット無線機ＷＤの無線機ＩＰアドレスであるＷを送信元アドレス部に格納し、接続している基地局セグメントに送出する。本実施形態においては基地局ルータＢＲ１はＶＩＰに対応していないので、インターネット２上の通常のルータと同じであるとみなしてよい。
【０１１７】
この送信パケットはサーバ側ルータＳＲ１を介してサーバ３に渡され、サーバ３で返信パケットが作成されサーバ側ルータＳＲ１を介して移動ルータＣＲに返送される。この際、第１実施形態において説明した通り、返送されるパケットの宛先アドレス部と送信元アドレス部は、送ったパケットの宛先アドレス部と送信元アドレス部を入れ替えたものである。すなわち、移動ルータＣＲに返されるパケットの宛先アドレス部：送信元アドレス部：ＶＩＰ部はそれぞれＷ：Ｓ：ＴＶとなっている。
【０１１８】
これを受け取った移動ルータＣＲは、ＶＩＰ部にＴＶが格納されていることを検知して、自らが持つ移動ＶＩＰ対応表からこのＴＶに対応するＩＰアドレスであるＴを読み出し、これを宛先アドレス部に格納し、その後このパケットを移動セグメント４２に送出する。移動端末１はこのパケットを受け取り、パケットの送信元アドレス部にサーバ３のアドレスであるＳが入っていることから、このパケットがサーバ３からのものであると認識する。このようなパケットの配送手順により、移動端末１とサーバ３はデータ通信を確立することができる。
【０１１９】
上述してきたようなデータの配送においては、このデータ通信においてサーバ３が移動端末１のアドレスを移動端末１に固有な端末ＶＩＰアドレスであるＴＶであると認識していることに加えて、サーバ側ルータＳＲ１から返ってくる返信パケットが無線機ＩＰアドレスであるＷ宛になっていることが重要である。このＷは、移動ネットワーク４が接続する基地局セグメントを変えるとそれに従って変化するので、このＷ宛にパケットを送ることでサーバ側ルータＳＲ１が移動ネットワークの移動に追従して、通信の途絶を回避することが可能となる。
【０１２０】
このことを詳しく見るために、移動ネットワーク４が基地局ＡＰ１に接続し、その後基地局ＡＰ１から基地局ＡＰ２に移動するときに各ネットワーク機器で行われるハンドオーバーの手順を以下に説明する。この手順を、各ネットワーク機器間の信号のやりとりを中心に表現したものが図７である。
【０１２１】
まず、移動ネットワーク４の移動ネット無線機ＷＤが基地局ＡＰ１と通信可能となると移動ネット無線機ＷＤはそれを移動ルータＣＲに通知し、それを受けた移動ルータＣＲは基地局ＡＰ１を介してＤＨＣＰサーバである基地局ルータＢＲ１に移動ネット無線機ＷＤの無線機ＩＰアドレスを要求する。要求を受けた基地局ルータＢＲ１は使用されていないＩＰアドレスを割り当て、それを基地局ルータＢＲ１のＩＰアドレスと共に移動ルータＣＲに通知する。これによって以後移動ネット無線機ＷＤは割り当てられたＩＰアドレスを移動ネットワーク４が基地局ＡＰ１から基地局ＡＰ２に移動するまで自己のアドレスとして使用する。
【０１２２】
そして、移動端末１が自己のＶＩＰアドレスを移動ルータＣＲに通知すると、これを受けた移動ルータＣＲは保有する移動ＶＩＰ対応表にＴとＴＶとの対応を記録する。これにより接続開始時の準備は終わり、ＶＩＰによるデータ通信が開始される。
【０１２３】
移動端末１からサーバ３へパケットが最初に送られる際には、サーバ側ルータＳＲ１においてサーバ側ＶＩＰ対応表に移動端末１のＶＩＰアドレスと移動ネット無線機ＷＤのＩＰアドレスとの対応を記録する。このようにしてデータ通信を確立し、移動端末１はサーバ３とデータの授受を行う。
【０１２４】
その後、移動ネットワーク４が移動し、基地局ＡＰ１、基地局ＡＰ２の双方が利用可能なエリアに入ったことを検知した移動ネット無線機ＷＤは、移動ルータＣＲにそれを通知する。
【０１２５】
通知を受けた移動ルータＣＲは、基地局ＡＰ１、基地局ルータＢＲ１を介して基地局ルータＢＲ２のＤＨＣＰサーバに移動ネット無線機ＷＤの新しい無線機ＩＰアドレスを要求する。これに応じて基地局ルータＢＲ２は基地局ルータＢＲ１、基地局ＡＰ１を介して移動ルータＣＲに新しい無線機ＩＰアドレスを基地局ルータＢＲ２のＩＰアドレスと共に通知する。
【０１２６】
この後、移動ネット無線機ＷＤは基地局ＡＰ１との無線通信を切断し、基地局ＡＰ２と接続する。このときサーバ側ルータＳＲ１に移動端末１が基地局ＡＰ２を使用することを通知し、サーバ側ＶＩＰ対応表から移動ネット無線機ＷＤの以前の無線機ＩＰアドレスと移動端末１の端末ＶＩＰアドレスとの対応の削除、新たな無線機ＩＰアドレスと端末ＶＩＰアドレスとの対応の記録を行わせてもよいし、後に移動端末１がサーバＳと通信するためにパケットを送出することでサーバ側ルータＳＲ１に上記のような対応表の書き換えを行わせてもよい。
【０１２７】
このようにすることで、移動ネットワーク４が無線通信する基地局ＡＰｘを変えたときにはサーバ側ルータＳＲ１がサーバ側ＶＩＰ対応表を書き換えるので、サーバ３は移動端末１に固有の端末ＶＩＰアドレスを使用することによって移動端末１を常に識別できる。
【０１２８】
また、ＶＩＰに対応し、ＶＩＰ対応表を有するルータが移動ルータＣＲとサーバ側ルータＳＲ１にだけあればいいので、中継点の様々な場所にＶＩＰ対応ルータを設置する必要がなくなるので、導入が容易になる。
【０１２９】
また、ＶＩＰに対応し、ＶＩＰ対応表を有するルータが必ず移動ルータＣＲとサーバ側ルータＳＲ１にあり、パケットが常に効率のよい経路を通ることができるので、ＶＩＰに対応するルータの配置によってはパケットが大きく迂回して届けられるという問題が解決される
さらに、サーバ側ルータＳＲ１は移動端末１のＶＩＰアドレスと、移動ネットワーク４の移動によって変わる移動ネット無線機ＷＤの無線機ＩＰアドレスとの対応をサーバ側ＶＩＰ対応表に記録しているので、移動端末１のＩＰアドレスが変化しなくても接続場所の移動に追従することができるので、通信が途切れることがない。
【０１３０】
（第３実施形態）
図８に、本発明の第３実施形態において行うデータ通信における経路の全体構成を示す。本実施形態においては、移動端末１がそれぞれ別のＩＰアドレスを付与される２つの無線インターフェースを有し、この２つの無線インターフェースをそれぞれ上り回線と下り回線とに利用できる場合について説明する。ただし、上述した第１実施形態と均等の部分の説明については省略するか、または簡略化した記述に止める。
【０１３１】
本実施形態における基地局には、比較的狭い領域をカバーして高速のデータ通信が可能である基地局ＡＰＮ１１、ＡＰＮ１２、…、ＡＰＮ１ｎ、ＡＰＮ２１、ＡＰＮ２２、…、ＡＰＮ２ｎ、…（以下ＡＰＮｘと記す）と、比較的広い領域をカバーして低速の通信を行う基地局ＡＰＷ１、ＡＰＷ２、…、ＡＰＷｎ（以下ＡＰＷｘと記す）との２種類がある。近接地域にある複数の基地局ＡＰＮｘは同一のセグメントに属し、同じ基地局ルータＢＲＮ１、ＢＲＮ２，…、ＢＲＮｎ（以下ＢＲＮｘと記す）を介してインターネット２に接続している。また、基地局ＡＰＷｘはそれぞれ基地局ルータＢＲＷ１、ＢＲＷ２、…、ＢＲＷｎ（以下ＢＲＷｘと記す）を介してインターネット２に接続している。このように、基地局ＡＰＮｘと基地局ＡＰＷｘとが同一のセグメントに属することはない。
【０１３２】
移動端末１は、下り回線にのみ利用できる下り無線機ＴＤＮと、上下回線に利用できる上り無線機ＴＤＷとを有している。下り無線機ＴＤＮは基地局ＡＰＮｘとだけ通信できるようになっており、上り無線機ＴＤＷは基地局ＡＰＷｘとだけ通信できるようになっている。
【０１３３】
これら下り無線機ＴＤＮと上り無線機ＴＤＷとは、無線通信により基地局ＡＰＮｘ、基地局ＡＰＷｘに接続すると、それぞれのＩＰアドレスを基地局ルータＢＲＮｘ、基地局ルータＢＲＷｘより付与されるようになっている。また、移動端末１は接続する基地局セグメントを移動しても変化しない端末ＶＩＰアドレスを自己のアドレスとして１つ有している。
【０１３４】
基地局ルータＢＲＮｘは移動端末１のＶＩＰアドレスである端末ＶＩＰアドレスと、接続している下り無線機ＴＤＮのＩＰアドレスとの対応を複数組記録することのできる基地局ＶＩＰ対応表を有しており、下り無線機ＴＤＮがこの基地局ルータＢＲＮｘに接続する際に、上記の端末ＶＩＰアドレスとＩＰアドレスの対応を基地局ＶＩＰ対応表に記録し、移動端末１がこの基地局ルータＢＲＮｘとの接続を切る際にはこの対応を削除するようになっている。また、基地局ルータＢＲＮｘは上述した第１実施形態の基地局ルータＢＲｘと同様のパケットのヘッダの付け替え機能を有しており、また、ＤＨＣＰサーバを兼ねている。
【０１３５】
一方基地局ルータＢＲＷｘは、下り無線機ＴＤＮが接続している基地局ルータＢＲＮｘのＩＰアドレスと、接続している上り無線機ＴＤＷのＩＰアドレスと、端末ＶＩＰアドレスと、の対応を複数組記録することのできる基地局ＶＩＰ対応表を有しており、上り無線機ＴＤＷがこの基地局ルータＢＲＷｘに接続する際に、上記のＶＩＰアドレスと２つのＩＰアドレスとの対応を基地局ＶＩＰ対応表に記録し、移動端末１がこの基地局ルータＢＲＷｘとの接続を切る際にはこの対応を削除するようになっている。
【０１３６】
この基地局ルータＢＲＷｘは、基地局セグメントからインターネット２へ送出するパケットの送信元アドレス部に端末ＶＩＰアドレスが格納されていれば、この端末ＶＩＰアドレスをパケットのＶＩＰ部に移して格納し、送信元アドレス部には下り無線機ＴＤＮが接続している基地局ルータＢＲＮｘのＩＰアドレスを格納し、その後にパケットの送出を行うようになっている。
【０１３７】
また、インターネット２から自己に宛てられたパケットのＶＩＰ部にＶＩＰアドレスが格納されていれば、そのＶＩＰアドレスを有する移動端末１の上り無線機ＴＤＷのＩＰアドレスを宛先アドレス部に格納してパケットを送出するようになっている。また、この基地局ルータＢＲＷｘはＤＨＣＰサーバを兼ねている。
【０１３８】
なお、サーバ３およびサーバ側ルータＳＲ１は、第１実施形態と同じ構成、作動となっているので、それらに関する説明はここでは省略する。
【０１３９】
ここで、下り無線機ＴＤＮが基地局ＡＰＮ１１、上り無線機ＴＤＷが基地局ＡＰＷ１に接続しているときに、この無線端末１が下り回線に下り無線機ＴＤＮ、上り回線に上り無線機ＴＤＷを使ってサーバ３と通信をする際のパケットのやりとりについて、移動端末１、基地局ルータＢＲＷ１、基地局ルータＢＲＮ１、サーバ側ルータＳＲ１、サーバ３におけるパケットのＩＰヘッダ部の変化を示した図９によって説明する。
【０１４０】
まず、移動端末１は上り無線機ＴＤＷを通じて基地局ルータＢＲＷ１にサーバ３宛のパケットである送信パケットを送出する。この送信パケットの宛先アドレス部にはサーバ３のＩＰアドレスであるＳを、送信元アドレス部には移動端末１の端末ＶＩＰアドレスであるＴＶを格納する。
【０１４１】
この送信パケットを受け取った基地局ルータＢＲＷ１は、ＴＶをＶＩＰ部に格納し、送信元アドレス部には、基地局ＡＰＮ１１と接続している基地局ルータＢＲＮ１のＩＰアドレスであるＢＮ１を格納する。このように、基地局ルータＢＲＷ１から送るパケットの送信元アドレス部を基地局ルータＢＲＷ１のＩＰアドレスＢＷ１ではなく、下り無線機ＴＤＮの接続する基地局ルータＢＲＮ１のＩＰアドレスＢＮ１とするところが本実施形態の特徴的な部分である。
【０１４２】
このようにしてインターネット２に送出された送信パケットはサーバ側ルータＳＲ１を介してサーバ３に届き、これに基づいてサーバ３で作成され送出された返信パケットがサーバ側ルータＳＲ１を介してインターネット２に送出されるが、第１実施形態で示した様に返ってくる返信パケットのヘッダ部では宛先アドレス部と送信元アドレス部とに格納された値が入れ替わっている。したがって、送った送信パケットの送信元アドレス部に格納されたＢＮ１がこの返ってくる返信パケットの宛先部に格納されている。このため、この返信パケットは基地局ルータＢＲＮ１に配送される。
【０１４３】
この返信パケットを受けた基地局ルータＢＲＮ１はＶＩＰ部にＴＶが格納されていることを検知すると、自らが持つ基地局ＶＩＰ対応表からこのＴＶに対応するＩＰアドレスであるＴＮを読み出し、これを宛先アドレス部に格納し、その後この返信パケットを基地局セグメント内に送出する。移動端末１はこの返信パケットを受け取り、送信元アドレス部にサーバ３のアドレスであるＳが入っていることから、この返信パケットがサーバ３からのものであると認識する。このようなパケットの配送手順により、移動端末１とサーバ３は上り回線と下り回線が異なるデータ通信を確立することができる。
【０１４４】
上述したようなデータの配送においても、このデータ通信においてサーバ３が移動端末１のアドレスを移動端末１に固有なＶＩＰアドレスであるＴＶであると認識している。このため、移動端末１が無線通信する基地局ＡＰＮｘ、ＡＰＷｘを変えることによってＩＰアドレスを変えても、サーバ３はそのことを検知して対応する必要がない。
【０１４５】
これらのことを詳しく見るために、実際に移動端末１が基地局ＡＰＷ１と基地局ＡＰＮ１とに接続しており、その後下り無線機ＴＤＮが基地局ＡＰＮ１１から基地局ＡＰＮ２１に移動するときに各ネットワーク機器で行われるハンドオーバーの手順を以下に説明する。この手順を、各ネットワーク機器間の信号のやりとりを中心に表現したものが図１０である。
【０１４６】
まず、移動端末１の上り無線機ＴＤＷが基地局ＡＰＷ１と通信可能となると、移動端末１は基地局ＡＰＷ１を介してＤＨＣＰサーバである基地局ルータＢＲＷ１に上り無線機ＴＤＷのＩＰアドレスを要求する。要求を受けた基地局ルータＢＲＷ１は使用されていないＩＰアドレスを割り当て、それを基地局ルータＢＲＷ１のＩＰアドレスと共に移動端末１に通知する。これによって以後上り無線機ＴＤＷは割り当てられたＩＰアドレスを自己のアドレスとして使用する。
【０１４７】
次に、下り無線機ＴＤＮが基地局ＡＰＮ１１と通信可能となると、移動端末１は既に接続している基地局ルータＢＲＷ１を介してＤＨＣＰサーバである基地局ルータＢＲＮ１に下り無線機ＴＤＮのＩＰアドレスを要求する。要求を受けた基地局ルータＢＲＮ１は使用されていないＩＰアドレスを割り当て、それを基地局ルータＢＲＮ１のＩＰアドレスと共に基地局ルータＢＲＷ１を介して移動端末１に通知する。これによって以後下り無線機ＴＤＮは割り当てられたＩＰアドレスを基地局ＡＰＮ１１から基地局ＡＰＮ２１に移動するまで自己のアドレスとして使用する。
【０１４８】
そして、下り無線機ＴＤＮにＩＰアドレスが付与されると、移動端末１は上り無線機ＴＤＷを介して基地局ルータＢＲＷ１にこれを通報し、基地局ＶＩＰ対応表へ移動端末１の端末ＶＩＰアドレスと、基地局ルータＢＲＮ１のＩＰアドレスと、上り無線機ＴＤＷのＩＰアドレスと、の対応を記録させる。さらにこの基地局ルータＢＲＷ１を介して基地局ルータＢＲＮ１に通報し、基地局ＶＩＰ対応表へ移動端末１の端末ＶＩＰアドレスと下り無線機ＴＤＮのＩＰアドレスとの対応を記録させる。その後、下り無線機ＴＤＮは基地局ＡＰＮ１１と接続し、これを下り回線に利用するデータ通信が可能となる。
【０１４９】
移動端末１からサーバ３へパケットが最初に送られる際には、前述の通りサーバ側ルータＳＲ１においてサーバＶＩＰ対応表に移動端末１の端末ＶＩＰアドレスと基地局ルータＢＲＮ１のＩＰアドレスとの対応を記録する。このようにしてデータ通信を確立し、移動端末１は上り回線に基地局ＡＰＷ１を、下り回線に基地局ＡＰＮ１１を利用してサーバ３とデータの授受を行う。
【０１５０】
その後、移動端末１が移動し、基地局ＡＰＷ１は継続して使用可能なまま、基地局ＡＰＮ１１、基地局ＡＰＮ２１の双方が利用可能なエリアに入ったとする。それを検知した下り無線機ＴＤＮは処理部１２にそれを通知する。
【０１５１】
処理部１２が通知を受けると、移動端末１は基地局ＡＰＷ１、基地局ルータＢＲＷ１を介して基地局ルータＢＲＮ２のＤＨＣＰサーバに新しい下り無線機ＴＤＮのＩＰアドレスを要求する。これに応じて基地局ルータＢＲＮ２は基地局ルータＢＲＮ１、基地局ＡＰＮ１１を介して移動端末１に新しい下り無線機ＴＤＮのＩＰアドレスを基地局ルータＢＲＮ２のＩＰアドレスと共に通知する
これを受けた移動端末１は、基地局ルータＢＲＷ１を介して接続先を基地局ＡＰＮ１１から基地局ＡＰＮ２１に移すことを宣言し、基地局ルータＢＲＷ１には基地局ＶＩＰ対応表へ移動端末１のＶＩＰアドレスと基地局ルータＢＲＮ２のＩＰアドレスとの対応を記録させ、基地局ルータＢＲＮ２には基地局ＶＩＰ対応表へ移動端末１のＶＩＰアドレスと下り無線機ＴＤＮのＩＰアドレスとの対応を記録させ、基地局ルータＢＲＮ１には基地局ＶＩＰ対応表の移動端末１のＶＩＰアドレスと下り無線機ＴＤＮのＩＰアドレスとの対応を削除させる。
【０１５２】
この後、下り無線機ＴＤＮは基地局ＡＰＮ１１との無線通信を切断し、基地局ＡＰＮ２１と接続する。このようにして、移動端末１は上り回線に基地局ＡＰＷ１を、下り回線に新たに基地局ＡＰＮ２１を利用してサーバ３とデータの授受を行うことができるようになる。
【０１５３】
その際、移動端末１がサーバＳと通信するためにパケットを送出することで、サーバ側ルータＳＲ１はサーバ側ＶＩＰ対応表から以前の移動端末１の端末ＶＩＰアドレスと基地局ルータＢＲＮ１のＩＰアドレスとの対応の削除、移動端末１の端末ＶＩＰアドレスと基地局ルータＢＲＮ２のＩＰアドレスとの対応の記録を行う。
【０１５４】
したがって、このように上り回線と下り回線を別のものとする場合においても、基地局ルータＢＲＷｘとサーバ側ルータＳＲ１とがそのための特別なネゴシエーションを行う必要がない。
【０１５５】
このように、無線端末が２つの無線機を有し、それぞれが無線通信する基地局が異なる速度のデータ通信ができる等の異種の基地局であるような場合において、データ通信の上下回線をこれらの無線機で使い分けることをハイブリッド通信という。
【０１５６】
このようなハイブリッド通信において、本実施形態のように下り回線に比較的高速な通信回線を割り当てることは、一般的に上り回線よりも下り回線のデータ転送量が多い移動端末１においては、データ配送の効率化の一助となる。また、高速回線に使用する下り無線機ＴＤＮを下り回線専用に特化することで、アンテナの出力のための電力消費を抑えることができる。
【０１５７】
また、類似のハイブリッド通信システムとしては、例えば従来技術として特開平１２−３１６１７８号公報があるが、これは２つの無線機の接続する回線が１つのゲートウエイに接続している必要があるが、本実施形態の構成においてはその必要はない。
【０１５８】
なお、本実施形態においては下り回線は下り無線機ＴＤＮを利用することを主体として説明してきたが、上下回線とも上り無線機ＴＤＷを使用する場合もある。例えば、下り無線機ＴＤＮが使用不可能な場合においては、無線端末１が下り無線機ＴＤＮを唯一の移動無線機１１として有している、すなわち上記した第１実施形態と同様の作動となることにより、上り無線機ＴＤＷが上下回線共用となる。
【０１５９】
また、第１実施形態と同様の効果として、移動端末１が無線通信する基地局ＡＰＮｘや基地局ＡＰＷｘを変えたときには基地局ルータＢＲＮｘ、基地局ルータＢＲＷｘ、サーバ側ルータＳＲ１がそれぞれのＶＩＰ対応表を書き換えるので、サーバ３は移動端末１に固有の端末ＶＩＰアドレスを使用することによって移動端末１を常に識別でき、両者の間の通信が移動端末１の移動によっても途切れることがなくなる。
【０１６０】
また、ＶＩＰに対応し、ＶＩＰ対応表を有するルータが基地局ルータＢＲＮｘと、基地局ルータＢＲＷｘと、サーバ側ルータＳＲ１とにだけあればいいので、中継点の様々な場所にＶＩＰ対応ルータを設置する必要がなくなるので、導入が容易になる。
【０１６１】
また、ＶＩＰに対応し、ＶＩＰ対応表を有するルータが必ず基地局ルータＢＲＮｘと、基地局ルータＢＲＷｘと、サーバ側ルータＳＲ１とにあり、パケットが常に効率のよい経路を通ることができるので、ＶＩＰに対応するルータが経路的に効率の悪い場所に設置されて、パケットが大きく迂回して届けられる、不達になる等の問題が解決される。
（第４実施形態）
上記した第１〜第３実施形態においては、最初に無線端末１からサーバ３への送信パケットがあり、それ以後サーバ３が返信パケットを無線端末１へ返すケースについて説明してきた。本実施形態では、このような場合ではなく、サーバ３が最初に無線端末１へパケットを送る場合、すなわちサーバ３からプッシュする形でパケットを送信する場合について、第１実施形態に基づいた構成を例として説明する。
【０１６２】
このケースで用いられるネットワークの概略図を図１１に示す。第１実施形態で示した図１とこの図１１との違いは、インターネット２にＶＩＰセンター５が接続していることである。このＶＩＰセンター５はセンターＶＩＰ対応表を有し、移動端末１のＶＩＰアドレスと、プッシュ先ＩＰアドレスとして移動端末１が接続する基地局ルータＢＲｘとの対応を記載する。
【０１６３】
センターＶＩＰ対応表への記載は、移動端末１が新たにデータ通信を開始するとき、あるいは基地局ＡＰｘを移動するときの、ＶＩＰアドレスとＩＰアドレスとの対応に変化があるときに行われる。ＶＩＰセンター５へのセンターＶＩＰ対応表の書き換え要求は、移動端末１、あるいは基地局ルータＢＲｘによって為され、それに従ってＶＩＰセンター５はセンターＶＩＰ対応表を書き換える。
【０１６４】
サーバ３が移動端末１のＶＩＰアドレスにパケットを送信しようとする場合に、サーバ側ルータＳＲ１が自分の有するセンターＶＩＰ対応表にこのＶＩＰアドレスに対応するエントリが無い場合、ＶＩＰセンター５に問い合わせて対応するＩＰアドレスを知る。この問い合わせは一度だけ行って、その後は知った対応を自らの有するサーバ側ＶＩＰ対応表に記録してそれを参照することにしてもよいし、あるいはサーバ３からパケットをプッシュする時にサーバ側ルータＳＲ１が定期的にＶＩＰセンタ５に問い合わせてもよい。
【０１６５】
また、サーバ３がパケットをプッシュする前に、ＶＩＰセンター５のセンターＶＩＰ対応表が書き換えられる度にＶＩＰセンター５からサーバ側ルータＳＲ１にＶＩＰ書き換え要求を送信し、それを受けてサーバ側ルータＳＲ１が自分の有するセンターＶＩＰ対応表を書き換えてもよい。
【０１６６】
このようにして知ったＶＩＰアドレスとＩＰアドレスとの対応に従って、サーバ側ルータＳＲ１はパケットのＶＩＰ部にＶＩＰアドレスを、宛先アドレス部に対応するＩＰアドレスを格納してパケットをインターネット２に送出する。
【０１６７】
このようにインターネット２に接続するＶＩＰセンター５がセンターＶＩＰ対応表を持ち、移動端末１が新しい基地局と接続する度にこのセンターＶＩＰ対応表を書き換え、サーバ側ルータＳＲ１が必要に応じてその情報を知ることにより、サーバ３から最初に移動端末１へパケットを送信することが可能となる。
【０１６８】
なお、ＶＩＰセンターが有するセンターＶＩＰ対応表において移動端末１のＶＩＰアドレスと対応づけられるものは、移動端末１のＩＰアドレスでもよい。
【０１６９】
また、本実施形態においては第１実施形態の構成においてＶＩＰセンター５があるケースについて説明したが、第２、第３実施形態の構成においてインターネットに接続したＶＩＰセンター５があるケースにおいても、全く同じ効果を得ることができる。ただし、ＶＩＰセンターが有するセンターＶＩＰ対応表において移動端末１のＶＩＰアドレスと対応づけられるものは、第２実施形態においては移動ネットワーク４の移動ネット無線機ＷＤのＩＰアドレスであり、第３実施形態においては下り無線機ＴＤＮの接続する基地局ルータＢＲＮｘのＩＰアドレス、上り無線機ＴＤＷの接続する基地局ルータＢＲＷｘのＩＰアドレス、下り無線機ＴＤＮのＩＰアドレス、上り無線機ＴＤＷのＩＰアドレス、のいずれかである。
【０１７０】
なお、これら第１〜第４実施形態においては、インターネット２は広域ネットワークであり、サーバ側ルータＳＲ１はサーバ側データ中継装置であり、ＩＰアドレスはアドレスであり、ＶＩＰアドレスは仮想アドレスであり、端末ＶＩＰアドレスは仮想端末アドレスであり、端末ＩＰアドレスは一時端末アドレスであり、ＶＩＰ部は仮想アドレス部であり、基地局ＶＩＰ対応表は基地局仮想アドレス対応表であり、サーバ側ＶＩＰ対応表はサーバ側仮想アドレス対応表であり、送信パケットは送信データであり、返信パケットは返信データであり、端末無線機１１は無線インターフェースである。
【０１７１】
また、第１実施形態においては、基地局ルータＢＲｘは基地局データ中継装置である。
【０１７２】
また、第２実施形態においては、移動ルータＣＲｘは移動データ中継装置であり、移動ネット無線機ＷＤは移動無線インターフェースであり、無線機ＩＰアドレスは一時中継アドレスであり、移動ＶＩＰ対応表は基地局仮想アドレス対応表であり、基地局ルータＢＲｘはデータ中継装置である。
【０１７３】
また、第３実施形態においては、基地局ルータＢＲＷｘは上下基地局データ中継装置であり、基地局ルータＢＲＮｘは下り基地局データ中継装置であり、下り無線機ＴＤＮのＩＰアドレスと上り無線機ＴＤＷのＩＰアドレスとは一時インターフェースアドレスであり、上り無線機ＴＤＷは上下無線インターフェースであり、下り無線機ＴＤＮは下り無線インターフェースである。
【０１７４】
また、第４実施形態においては、基地局ルータＢＲｘは基地局データ中継装置であり、プッシュ先ＩＰアドレスはプッシュ先アドレスであり、センターＶＩＰ対応表はセンター仮想アドレス対応表である。
（他の実施形態）
第１〜第４実施形態においては、データ中継装置としてルータを使用しているが、これはルータ機能を持つ装置ならどのようなものでもよく、例えばゲートウエイでもよい。
【０１７５】
また移動端末１の端末ＶＩＰアドレスは端末固有であるとしているが、これは移動端末１がデータ通信をしているときに属する基地局セグメントが変わっても不変なものであればよく、たとえばデータ通信を開始するときにＤＨＣＰによって付与され、データ通信を終了して接続を切るときに無効とするＩＰアドレスであってもよい。このようにすれば、必要なＶＩＰアドレスの数は同時にデータ通信を行う移動端末の数であればいので、データ通信を行う全ての移動端末にＶＩＰアドレスを与える場合に比べてＶＩＰアドレスの節約に繋がる。これは、例えばＩＰｖ４を使用する場合等、アドレス空間の枯渇が懸念される場合においては特に有用である。
【０１７６】
また、基地局ルータ、サーバ側ルータ、移動ルータは仮想アドレス対応表を有するとしているが、別のホストに仮想アドレス対応表を保存して、必要なときにそれを参照するということにしてもよい。また、これらのルータはＤＨＣＰサーバを兼ねているが、別にＤＨＣＰサーバを設けることにしてもよい。
【０１７７】
また、広域ネットワークをインターネット２としているが、これは必ずしもインターネット２である必要はなく、セグメントの集合体としてのデータ通信ネットワークであるならどのようなものでもよい。
【０１７８】
また、第１実施形態においては基地局ルータＢＲｘが、第２実施形態においては移動ルータＣＲが、第３実施形態においては基地局ルータＢＲＮｘが、返信パケットの宛先アドレスをＩＰアドレスとしていたが、必ずしもＩＰアドレスである必要はなく、例えば、移動端末１の端末ＶＩＰアドレスであってもよい。すなわち、最終的に返信パケットが戻るべき移動端末１を特定できる識別子がパケット中にあり、それに基づいてこの返信パケットを移動端末１が受け取ることができるように、移動端末１の属するセグメントが構成されていればよいのである。
【０１７９】
また、第１実施形態においてはサーバ側ＶＩＰ対応表に端末ＶＩＰと対応して記録する返送先アドレスは基地局ルータＢＲｘのＩＰアドレスであったが、これは移動端末１の端末ＩＰアドレスとしてもよい。また、第３実施形態においてはサーバ側ＶＩＰ対応表に記録するのは基地局ルータＢＮｘのＩＰアドレスであったが、これは移動端末１の下り無線機ＴＤＮのＩＰアドレスであってもよい。このようにすることで、それぞれ基地局ＢＲｘ、基地局ＢＲＮｘで返信パケットのヘッダの内容を変更する必要がなくなる。
【０１８０】
また、第１、第２および第４実施形態において、移動端末は１つの無線インターフェースを有していたが、複数の無線インターフェースを有していてもよい。その場合、個々のインターフェースにＩＰアドレスが付与されることになる、すなわち、移動端末１が複数の端末ＩＰアドレスを有することになる。このようにすることによって、属する基地局セグメントを移す場合に、１つの無線インターフェースの接続を切る前に別の無線インターフェースによって新しい基地局セグメントに接続しておくことで、ハンドオーバーをスムースに行うことができる。
【０１８１】
また、第３実施形態においては移動端末１は２つのインターフェースを有しているが、これは３つ以上であって、それぞれにパケットを割り振って通信してもよい。
【図面の簡単な説明】
【図１】本発明の第１実施形態のネットワークの全体構成を示す図である。
【図２】ＶＩＰパケットの構成を示す図である。
【図３】第１実施形態における移動端末１とサーバＳＲ１の通信パケットの流れの図である。
【図４】移動端末１が基地局ＡＰｘを移動するときの信号のやりとりを示した図である。
【図５】第２実施形態のネットワークの全体構成を示す図である。
【図６】第２実施形態における移動端末１とサーバＳＲ１の通信パケットの流れの図である。
【図７】移動ネットワーク４が基地局ＡＰｘを移動するときの信号のやりとりを示した図である。
【図８】第３実施形態のネットワークの全体構成を示す図である。
【図９】第３実施形態における移動端末１とサーバＳＲ１の通信パケットの流れの図である。
【図１０】下り無線機ＴＤＮが基地局ＡＰＮｘを移動するときの信号のやりとりを示した図である。
【図１１】第４実施形態のネットワークの全体構成を示す図である。
【符号の説明】
１…移動端末、２…インターネット、３…サーバ、４…移動ネットワーク、
５…ＶＩＰセンター、１１…端末無線機、１２…処理部、
４２…移動セグメント。
【図１】
0003738731.tif 000002
【図２】
0003738731.tif 000003
【図３】
0003738731.tif 000004
【図４】
0003738731.tif 000005
【図５】
0003738731.tif 000006
【図６】
0003738731.tif 000007
【図７】
0003738731.tif 000008
【図８】
0003738731.tif 000009
【図９】
0003738731.tif 000010
【図１０】
0003738731.tif 000011
【図１１】
0003738731.tif 000012